(57)【特許請求の範囲】
【請求項１】
交流電源の電源電圧を直流電圧に変換する直流電源部と、直流電源部の直流電圧をスイッチング手段でスイッチングすることによって高周波の交流電圧に変換するインバータ回路部と、インバータ回路部からの電力供給を受けて点灯する放電灯負荷と、を備えた放電灯点灯装置において、
前記放電灯負荷として、ある種類の１灯の放電ランプ、又は、別の種類の放電ランプを複数灯直列接続した直列回路の何れかが選択的に用いられ、前記放電灯は熱陰極型の蛍光ランプであって、接続された放電ランプの種類を判別する判別回路部と、判別回路部の判別結果をもとに接続された放電灯負荷に応じて供給する電力を制御する制御回路部と、接続される蛍光ランプの各一対のフィラメントの断線をそれぞれ検出する複数のフィラメント検出手段と、点灯時のランプ電圧を検出するランプ電圧検出手段とを設け、前記判別回路部は、各フィラメント検出手段の検出結果の組合せと、ランプ電圧検出手段の検出値とを用いて、接続された蛍光ランプの灯数を判別すること特徴とする放電灯点灯装置。
【請求項２】
交流電源の電源電圧を直流電圧に変換する直流電源部と、直流電源部の直流電圧をスイッチング手段でスイッチングすることによって高周波の交流電圧に変換するインバータ回路部と、インバータ回路部からの電力供給を受けて点灯する放電灯負荷と、を備えた放電灯点灯装置において、
前記インバータ回路部は、直流電源部の出力端子間に接続された一対のスイッチング手段の直列回路と、前記一対のスイッチング手段にそれぞれ逆並列に接続された整流手段と、前記一対のスイッチング手段の接続点に一端が接続されたインダクタと、一方の前記スイッチング手段の両端間に前記インダクタを介して接続された第１のコンデンサの直列回路と、前記第１のコンデンサの両端にそれぞれ接続される第１及び第２のランプ接続端子と、前記インダクタ及び第１のコンデンサの接続点に第２のコンデンサを介して接続された第３及び第４のランプ接続端子とを備え、
前記放電灯負荷として、第１及び第２のランプ接続端子の間に接続されるある種類の１灯の放電ランプ、又は、第１のランプ接続端子と第３のランプ接続端子の間および第２のランプ接続端子と第４のランプ接続端子の間にそれぞれ接続される別の種類の２灯の放電ランプの何れかが選択的に用いられ、
接続された放電ランプの種類を判別する判別回路部と、判別回路部の判別結果をもとに接続された放電灯負荷に応じて供給する電力を制御する制御回路部とを設けたことを特徴とする放電灯点灯装置。
【請求項３】
交流電源の電源電圧を直流電圧に変換する直流電源部と、直流電源部の直流電圧をスイッチング手段でスイッチングすることによって高周波の交流電圧に変換するインバータ回路部と、インバータ回路部からの電力供給を受けて点灯する放電灯負荷と、を備えた放電灯点灯装置において、
前記インバータ回路部は、直流電源部の出力端子間に接続された第１及び第２のスイッチング手段の直列回路と、直流電源部の出力端子間に接続された第３及び第４のスイッチング手段の直列回路と、第１〜第４のスイッチング手段にそれぞれ逆並列に接続された整流手段と、第１又は第２のスイッチング手段の何れか一方の両端間に接続された共振用の第１のインダクタ及び第１のコンデンサの直列回路と、第３又は第４のスイッチング手段の何れか一方の両端間に接続された共振用の第２のインダクタ及び第２のコンデンサの直列回路と、前記第１のインダクタ及び第１のコンデンサの接続点に接続された第１のランプ接続端子と、前記第２のインダクタ及び第２のコンデンサの接続点に接続された第２のランプ接続端子と、直流電源部の何れかの出力端子に接続された第３のランプ接続端子と、直流電源部の何れかの出力端子に接続された第４のランプ接続端子とを備え、
前記放電灯負荷として、第１及び第２のランプ接続端子の間に接続されるある種類の１灯の放電ランプ、又は、第１のランプ接続端子と第３のランプ接続端子の間および第２のランプ接続端子と第４のランプ接続端子の間にそれぞれ接続される別の種類の２灯の放電ランプの何れかが選択的に用いられ、
接続された放電ランプの種類を判別する判別回路部と、判別回路部の判別結果をもとに接続された放電灯負荷に応じて供給する電力を制御する制御回路部とを設けたことを特徴とする放電灯点灯装置。
【請求項４】
前記判別回路部は、前記インバータ回路部を所定の動作周波数で動作させた状態で、判別動作を行うことを特徴とする請求項１乃至３の何れか１つに記載の放電灯点灯装置。
【請求項５】
前記放電ランプは熱陰極型の蛍光ランプであって、前記判別回路部は、所定のランプ電流値で放電ランプを点灯させた状態でのランプ電力、所定のランプ電流値で放電ランプを点灯させた状態でのランプ照度、点灯状態におけるランプ電流、点灯状態におけるランプ電圧、点灯状態におけるランプインピーダンス、フィラメント抵抗の内の少なくとも何れか一つを用いて放電ランプの種類を判別することを特徴とする請求項２又は３の何れかに記載の放電灯点灯装置。
【請求項６】
前記判別回路部は、前記インバータ回路部を無負荷共振周波数付近の周波数で動作させた状態で、判別動作を行うことを特徴とする請求項１乃至３の何れか１つに記載の放電灯点灯装置。
【請求項７】
前記判別回路部は、前記放電ランプが放電を開始する時の始動電圧を用いて放電ランプの種類を判別することを特徴とする請求項２又は３の何れかに記載の放電灯点灯装置。
【請求項８】
前記直流電源部の出力電圧を上昇させることによって、前記放電ランプに印加する電圧を昇圧させて、前記放電ランプを始動させる場合、前記判別回路部は、前記放電ランプが放電を開始した時の前記直流電源部の出力電圧を用いて前記放電ランプの種類を判別することを特徴とする請求項２又は３の何れかに記載の放電灯点灯装置。
【請求項９】
前記スイッチング手段のオンデューティを変化させることによって、前記放電ランプに印加する電圧を昇圧させて、前記放電ランプを始動させる場合、前記判別回路部は、前記放電ランプが放電を開始した時の前記スイッチング手段のオンデューティを用いて前記放電ランプの種類を判別することを特徴とする請求項２又は３の何れかに記載の放電灯点灯装置。
【請求項１０】
前記放電灯は熱陰極型の蛍光ランプであって、前記判別回路部は、前記蛍光ランプのフィラメントによる電力損失量、又は、先行予熱時の入力電流の少なくとも何れか一方を用いて、前記放電ランプの種類を判別することを特徴とする請求項２又は３の何れかに記載の放電灯点灯装置。
【請求項１１】
前記判別回路部は、接続された放電ランプの始動回数を検出することによって、放電ランプの灯数及び種類を判別することを特徴とする請求項２又は３の何れかに記載の放電灯点灯装置。
【請求項１２】
前記放電灯は熱陰極型の蛍光ランプであって、前記判別回路部は、前記インバータ回路部の出力端子に直接接続されるフィラメントの有無を検出することによって、蛍光ランプが接続されているか否かを判別するとともに、直列接続された複数灯の蛍光ランプのフィラメントの内、隣接する蛍光ランプに接続されるフィラメントの有無を検出することによって、蛍光ランプの灯数を判別すること特徴とする請求項２記載の放電灯点灯装置。
【請求項１３】
前記ランプ判別部は、接続可能な放電ランプの定格ランプ電流の最小値で放電ランプを点灯させた状態で、放電ランプの種類を判別することを特徴とする請求項１乃至３の何れか１項に記載の放電灯点灯装置。
【請求項１４】
前記ランプ判別部は、接続可能な放電ランプの定格ランプ電流の最小値よりも小さいランプ電流で放電ランプを点灯させた状態で、放電ランプの種類を判別し、判別された放電ランプの種類によって決まるランプ電圧の最大値と調光下限との間で放電ランプを調光する調光手段を設けたことを特徴とする請求項１乃至３の何れか１つに記載の放電灯点灯装置。
【請求項１５】
放電ランプが１灯接続された場合と、放電ランプが複数灯接続された場合とでランプインピーダンスの差を補正するインピーダンス素子を付加したことを特徴とする請求項１乃至３の何れか１項に記載の放電灯点灯装置。
【請求項１６】
前記制御回路部は、放電ランプの種類によるランプ特性の違いを補正するように、前記インバータ回路部のスイッチング手段のオンデューティを制御することを特徴とする請求項１乃至３の何れか１つに記載の放電灯点灯装置。
【請求項１７】
前記２種類の放電ランプとは、高周波点灯専用形の管径が約２０ｍｍの二重環形蛍光ランプと、高周波点灯専用形の管径が約１６ｍｍの環形蛍光ランプであることを特徴とする請求項１乃至３の何れか１項に記載の放電灯点灯装置。
【発明の詳細な説明】
【０００１】
【発明の属する技術分野】
本発明は、放電灯点灯装置に関するものである。
【０００２】
【従来の技術】
図４５に従来の放電灯点灯装置の回路ブロック図を示す。この放電灯点灯装置は、高周波点灯専用形の管径が約１６ｍｍの環形蛍光ランプ（ＦＨＣタイプの蛍光ランプ）を点灯させるためのものであり、交流電源１の電源電圧を整流する整流回路２と、整流回路２の脈流電圧をスイッチング素子でスイッチングすることによって安定化し、所定電圧値の直流電圧に変換する入力歪改善回路３と、入力歪改善回路３の出力電圧をスイッチング素子でスイッチングすることによって高周波の交流電圧に変換する高周波電力変換回路４ａ，４ｂと、高周波電力変換回路４ａ，４ｂの出力端子間にそれぞれ接続されたＦＨＣタイプの蛍光ランプＦＬ２ａ，ＦＬ２ｂとで構成される。
【０００３】
ところで、ＦＨＣタイプの蛍光ランプ（以下、ＦＨＣランプと言う。）には、定格ランプ電力の違いによって複数のタイプが設けられ、例えば定格ランプ電力が４１Ｗ（高出力時は５８Ｗ）のＦＨＣ４１、３４Ｗ（高出力時は４８Ｗ）のＦＨＣ３４、２７Ｗ（高出力時は３８Ｗ）のＦＨＣ２７、２０Ｗ（高出力時は２８Ｗ）のＦＨＣ２０、１３Ｗ（高出力時は１８Ｗ）のＦＨＣ１３などがあり、図４６（ａ）〜（ｄ）に示すように定格ランプ電力の大きいランプほど外径が大きくなっている。
【０００４】
そして、ＦＨＣランプを実際の照明器具に組み込んで使用する場合には、所望の光出力が得られるように、複数のランプを組み合わせて使用しているが、点灯回路の設計に要する手間を少なくするために、図４５に示す回路では複数のランプで入力歪改善回路３を共通化し、高周波電力変換回路４ａ，４ｂをランプ毎に設けている。尚、図４５に示す回路は２灯用の回路であるが、３灯用の場合には高周波電力変換回路を３組設ければ良い。
【０００５】
また従来より、図４７に示すような回路構成を有する放電灯点灯装置も提供されている。この放電灯点灯装置は、高周波点灯専用形の管径が約２０ｍｍの二重環形蛍光ランプ（ＦＨＤタイプの蛍光ランプ）を点灯させるためのもので、交流電源１の電源電圧を整流する整流回路２と、整流回路２の脈流電圧をスイッチング素子でスイッチングすることによって安定化し、所定電圧値の直流電圧に変換する入力歪改善回路３と、入力歪改善回路３の出力電圧をスイッチング素子でスイッチングすることによって高周波の交流電圧に変換する高周波電力変換回路４と、高周波電力変換回路４の出力端子間にそれぞれ接続されたＦＨＤタイプの蛍光ランプＦＬ１とで構成される。
【０００６】
ＦＨＤタイプの蛍光ランプ（以下、ＦＨＤランプと言う。）は、一端部に電極が設けられて他端部が閉塞された２本の環形発光管を同心円状に配置し、２本の環形発光管の他端部近傍をブリッジ接合によって接合することで、内部に１本の放電路を形成したものである。ＦＨＤランプには定格ランプ電圧の違いによって複数のタイプが設けられ、例えば定格ランプ電力が１００ＷのＦＨＤ１００や、８０ＷのＦＨＤ８０や、７０ＷのＦＨＤ７０や、４０ＷのＦＨＤ８０などがあり、図４８（ａ）〜（ｄ）に示すように定格ランプ電力の大きいランプほど外径が大きくなっている。
【０００７】
ＦＨＤランプでは二重管構造とすることで、実際に照明器具に組み込んで使用する場合にはＦＨＣランプよりもより少ない本数で所望の光出力を得ることができるから、ランプの本数を少なくすることによって電極の数を減らすことができ、また点灯回路の数も少なくて済むから、点灯回路のコストダウンを図ることができる。尚、図４７に示す回路は１灯用の回路であるが、光出力を高めるためにＦＨＤランプを複数本使用する場合には、入力歪改善回路３を共通にして、高周波電力変換回路４をＦＨＤランプの数だけ設ければ良い。
【０００８】
【発明が解決しようとする課題】
上述した２種類の放電灯点灯装置の内、前者の放電灯点灯装置では、所望の光出力が得られるように複数のＦＨＣランプを組み合わせて使用しているため、それぞれのＦＨＣランプに対して高周波電力変換回路４ａ…を設ける必要があり、ＦＨＣランプの定格ランプ電力の違いによって複数種類の高周波電力変換回路４ａ…が必要であるから、高周波電力変換回路４ａ…の種類が増えることによって全体として放電灯点灯装置のコストが高くなるという問題があった。
【０００９】
また、それぞれのＦＨＣランプに対して別々の高周波電力変換回路４ａ…を設けているため、ＦＨＣランプの光出力にばらつきが発生するという問題もあり、特に調光点灯時においては光出力のばらつきが顕著になる。
【００１０】
また、後者の放電灯点灯装置では、ＦＨＤランプ自体の光出力や消費電力がＦＨＣランプに比べて大きいので、所望の光出力を１本のＦＨＤランプで実現できるから、点灯装置の種類が少なくて済むが、ＦＨＤランプではランプ毎に回路設計が大きく異なるため、ランプ毎に設計した点灯装置で回路部品の共通化が難しく、また回路部品を共通化しようとすると、回路部品の定格に余裕度を大きくとって設計する必要があり、コストアップを招くという問題があった。
【００１１】
本発明は上記問題点に鑑みて為されたものであり、その目的とするところは、異なる種類の放電ランプで点灯回路を共用することによりコストダウンを図った放電灯点灯装置を提供することにある。
【００１２】
【課題を解決するための手段】
上記目的を達成するために、請求項１の発明では、交流電源の電源電圧を直流電圧に変換する直流電源部と、直流電源部の直流電圧をスイッチング手段でスイッチングすることによって高周波の交流電圧に変換するインバータ回路部と、インバータ回路部からの電力供給を受けて点灯する放電灯負荷と、を備えた放電灯点灯装置において、放電灯負荷として、ある種類の１灯の放電ランプ、又は、別の種類の放電ランプを複数灯直列接続した直列回路の何れかが選択的に用いられ、放電灯は熱陰極型の蛍光ランプであって、接続された放電ランプの種類を判別する判別回路部と、判別回路部の判別結果をもとに接続された放電灯負荷に応じて供給する電力を制御する制御回路部と、接続される蛍光ランプの各一対のフィラメントの断線をそれぞれ検出する複数のフィラメント検出手段と、点灯時のランプ電圧を検出するランプ電圧検出手段とを設け、判別回路部は、各フィラメント検出手段の検出結果の組合せと、ランプ電圧検出手段の検出値とを用いて、接続された蛍光ランプの灯数を判別することを特徴とする。
【００１３】
請求項２の発明では、交流電源の電源電圧を直流電圧に変換する直流電源部と、直流電源部の直流電圧をスイッチング手段でスイッチングすることによって高周波の交流電圧に変換するインバータ回路部と、インバータ回路部からの電力供給を受けて点灯する放電灯負荷と、を備えた放電灯点灯装置において、インバータ回路部は、直流電源部の出力端子間に接続された一対のスイッチング手段の直列回路と、一対のスイッチング手段にそれぞれ逆並列に接続された整流手段と、一対のスイッチング手段の接続点に一端が接続されたインダクタと、一方のスイッチング手段の両端間にインダクタを介して接続された第１のコンデンサの直列回路と、第１のコンデンサの両端にそれぞれ接続される第１及び第２のランプ接続端子と、インダクタ及び第１のコンデンサの接続点に第２のコンデンサを介して接続された第３及び第４のランプ接続端子とを備え、放電灯負荷として、第１及び第２のランプ接続端子の間に接続されるある種類の１灯の放電ランプ、又は、第１のランプ接続端子と第３のランプ接続端子の間および第２のランプ接続端子と第４のランプ接続端子の間にそれぞれ接続される別の種類の２灯の放電ランプの何れかが選択的に用いられ、接続された放電ランプの種類を判別する判別回路部と、判別回路部の判別結果をもとに接続された放電灯負荷に応じて供給する電力を制御する制御回路部とを設けたことを特徴とする。
【００１４】
請求項３の発明では、交流電源の電源電圧を直流電圧に変換する直流電源部と、直流電源部の直流電圧をスイッチング手段でスイッチングすることによって高周波の交流電圧に変換するインバータ回路部と、インバータ回路部からの電力供給を受けて点灯する放電灯負荷と、を備えた放電灯点灯装置において、インバータ回路部は、直流電源部の出力端子間に接続された第１及び第２のスイッチング手段の直列回路と、直流電源部の出力端子間に接続された第３及び第４のスイッチング手段の直列回路と、第１〜第４のスイッチング手段にそれぞれ逆並列に接続された整流手段と、第１又は第２のスイッチング手段の何れか一方の両端間に接続された共振用の第１のインダクタ及び第１のコンデンサの直列回路と、第３又は第４のスイッチング手段の何れか一方の両端間に接続された共振用の第２のインダクタ及び第２のコンデンサの直列回路と、第１のインダクタ及び第１のコンデンサの接続点に接続された第１のランプ接続端子と、第２のインダクタ及び第２のコンデンサの接続点に接続された第２のランプ接続端子と、直流電源部の何れかの出力端子に接続された第３のランプ接続端子と、直流電源部の何れかの出力端子に接続された第４のランプ接続端子とを備え、放電灯負荷として、第１及び第２のランプ接続端子の間に接続されるある種類の１灯の放電ランプ、又は、第１のランプ接続端子と第３のランプ接続端子の間および第２のランプ接続端子と第４のランプ接続端子の間にそれぞれ接続される別の種類の２灯の放電ランプの何れかが選択的に用いられ、接続された放電ランプの種類を判別する判別回路部と、判別回路部の判別結果をもとに接続された放電灯負荷に応じて供給する電力を制御する制御回路部とを設けたことを特徴とする。
【００１５】
請求項４の発明では、請求項１乃至３の何れか１つに記載の発明において、判別回路部は、インバータ回路部を所定の動作周波数で動作させた状態で、判別動作を行うことを特徴とする。
【００１６】
請求項５の発明では、請求項２又は３の発明において、放電ランプは熱陰極型の蛍光ランプであって、判別回路部は、所定のランプ電流値で放電ランプを点灯させた状態でのランプ電力、所定のランプ電流値で放電ランプを点灯させた状態でのランプ照度、点灯状態におけるランプ電流、点灯状態におけるランプ電圧、点灯状態におけるランプインピーダンス、フィラメント抵抗の内の少なくとも何れか一つを用いて放電ランプの種類を判別することを特徴とする。
【００１７】
請求項６の発明では、請求項１乃至３の何れか１つに記載の発明において、判別回路部は、インバータ回路部を無負荷共振周波数付近の周波数で動作させた状態で、判別動作を行うことを特徴とする。
【００１８】
請求項７の発明では、請求項２又は３の発明において、判別回路部は、放電ランプが放電を開始する時の始動電圧を用いて放電ランプの種類を判別することを特徴とする。
【００１９】
請求項８の発明では、請求項２又は３の発明において、直流電源部の出力電圧を上昇させることによって、放電ランプに印加する電圧を昇圧させて、放電ランプを始動させる場合、判別回路部は、放電ランプが放電を開始した時の直流電源部の出力電圧を用いて放電ランプの種類を判別することを特徴とする。
【００２０】
請求項９の発明では、請求項２又は３の発明において、スイッチング手段のオンデューティを変化させることによって、放電ランプに印加する電圧を昇圧させて、放電ランプを始動させる場合、判別回路部は、放電ランプが放電を開始した時のスイッチング手段のオンデューティを用いて放電ランプの種類を判別することを特徴とする。
【００２１】
請求項１０の発明では、請求項２又は３の発明において、放電灯は熱陰極型の蛍光ランプであって、判別回路部は、蛍光ランプのフィラメントによる電力損失量、又は、先行予熱時の入力電流の少なくとも何れか一方を用いて、放電ランプの種類を判別することを特徴とする。
【００２２】
請求項１１の発明では、請求項２又は３の発明において、判別回路部は、接続された放電ランプの始動回数を検出することによって、放電ランプの灯数及び種類を判別することを特徴とする。
【００２３】
請求項１２の発明では、請求項２記載の発明において、放電灯は熱陰極型の蛍光ランプであって、判別回路部は、インバータ回路部の出力端子に直接接続されるフィラメントの有無を検出することによって、蛍光ランプが接続されているか否かを判別するとともに、直列接続された複数灯の蛍光ランプのフィラメントの内、隣接する蛍光ランプに接続されるフィラメントの有無を検出することによって、蛍光ランプの灯数を判別すること特徴とする。
【００２４】
請求項１３の発明では、請求項１乃至３の何れか１つに記載の発明において、ランプ判別部は、接続可能な放電ランプの定格ランプ電流の最小値で放電ランプを点灯させた状態で、放電ランプの種類を判別することを特徴とする。
【００２５】
請求項１４の発明では、請求項１乃至３の何れか１つに記載の発明において、ランプ判別部は、接続可能な放電ランプの定格ランプ電流の最小値よりも小さいランプ電流で放電ランプを点灯させた状態で、放電ランプの種類を判別し、判別された放電ランプの種類によって決まるランプ電圧の最大値と調光下限との間で放電ランプを調光する調光手段を設けたことを特徴とする。
【００２６】
請求項１５の発明では、請求項１乃至３の何れか１つに記載の発明において、放電ランプが１灯接続された場合と、放電ランプが複数灯接続された場合とでランプインピーダンスの差を補正するインピーダンス素子を付加したことを特徴とする。
【００２７】
請求項１６の発明では、請求項１乃至３の何れか１つに記載の発明において、制御回路部は、放電ランプの種類によるランプ特性の違いを補正するように、インバータ回路部のスイッチング手段のオンデューティを制御することを特徴とする。
【００２８】
請求項１７の発明では、請求項１乃至３の何れか１つに記載の発明において、２種類の放電ランプとは、高周波点灯専用形の管径が約２０ｍｍの二重環形蛍光ランプと、高周波点灯専用形の管径が約１６ｍｍの環形蛍光ランプであることを特徴とする。
【００２９】
【発明の実施の形態】
本発明の実施の形態を図面を参照して説明する。
【００３０】
（参考例１）
図１に放電灯点灯装置の回路ブロック図を示す。この放電灯点灯装置は、１灯のＦＨＤランプ、又は、１灯のＦＨＣランプの何れかを放電灯負荷として点灯させるためのもので、交流電源１の電源電圧を整流する整流回路２、及び、整流回路２の脈流電圧を平滑して所定電圧値の直流電圧に変換する入力歪改善回路３からなる直流電源部と、入力歪改善回路３の出力電圧をスイッチング素子でスイッチングすることによって高周波の交流電圧に変換する高周波電力変換回路４（インバータ回路部）と、高周波電力変換回路４の出力端子間に接続されるＦＨＤランプ又はＦＨＣランプからなる蛍光ランプＦＬ１と、ランプ電流を検出するランプ電流検出回路５と、ランプ電流検出回路５の検出結果から接続された蛍光ランプの種類を判別するランプ判別回路６（判別回路部）と、ランプ判別回路６の判別結果に基づいて入力歪改善回路３及び高周波電力変換回路４の出力を制御する制御回路７（制御回路部）とで構成される。
【００３１】
図２は、１００Ｗ形及び７０Ｗ形のＦＨＤランプ（ＦＨＤ１００，ＦＨＤ７０）と、４１Ｗ形及び３４Ｗ形のＦＨＣランプ（ＦＨＣ４１，ＦＨＣ３４）のランプ電流−ランプ電圧特性（以下ランプＩ−Ｖ特性と言う。）を示し、表１にランプ電流、ランプ電圧、ランプ電力などの電気的特性を示す。尚、図２の丸付き数字の１はＦＨＣ３４のランプＩ−Ｖ特性、丸付き数字の２はＦＨＣ４１のランプＩ−Ｖ特性、丸付き数字の３はＦＨＤ７０のランプＩ−Ｖ特性、丸付き数字の４はＦＨＤ１００のランプＩ−Ｖ特性をそれぞれ示している。
【００３２】
【表１】
0004120211.tif 000002
表１に示すように定格ランプ電流はＦＨＤランプでは約４３０ｍＡであり、ＦＨＣランプでは約２１５ｍＡである。また、ＦＨＤランプでは、約７０％調光時のランプ電流が２１５ｍＡ、約６０％調光時のランプ電流が１８０ｍＡであり、ＦＨＣランプでは高出力時のランプ電流が３８０ｍＡとなっている。すなわち、ＦＨＤランプの定格ランプ電流と、ＦＨＣランプの高出力時におけるランプ電流とが略等しくなっており、またＦＨＤランプの調光時におけるランプ電流と、ＦＨＣランプの定格ランプ電流とが略等しくなっている。これは、ＦＨＤランプとＦＨＣランプとで、フィラメントの設計や管内の封入ガスの組成が似通っているため、管径の違いが電気的特性の差となって現れているものと考えれば、比較的容易に理解することができる。
【００３３】
上述のようにＦＨＤランプの定格ランプ電流と、ＦＨＣランプの高出力時におけるランプ電流とが略等しく、またＦＨＤランプの調光時におけるランプ電流と、ＦＨＣランプの定格ランプ電流とが略等しくなっているので、本点灯装置では特性の似通ったＦＨＤランプとＦＨＣランプとで点灯回路を共用するようにしている。つまり、本点灯装置では１灯のＦＨＤランプに対して、ランプ電力が略等しい１灯のＦＨＣランプを対応させ、１灯のＦＨＤランプ、又は、１灯のＦＨＣランプの何れかを高周波電力変換回路４の出力端子間に接続して、点灯させている。
【００３４】
ここで、ランプ判別回路６は、ランプ電流検出回路５の検出結果を用い、ランプ電流の違いから接続された蛍光ランプの種類を判別し、判別結果を示す信号を制御回路７に出力する。制御回路７では、ランプ判別回路６から入力されたランプ種別を示す信号に基づいて、接続されている蛍光ランプの種類に応じたランプ電流が供給されるよう、入力歪改善回路３又は高周波電力変換回路４の出力を変化させており、１つの点灯回路でＦＨＤランプと、ＦＨＣランプの両方を点灯させることができる。
【００３５】
例えば、４０Ｗ形のＦＨＤランプ（ＦＨＤ４０）と、２７Ｗ形のＦＨＣランプ（ＦＨＣ２７）とを比較すると、ＦＨＤ４０の定格出力（定格点灯時のランプ電力）が４１Ｗであるのに対してＦＨＣ２７の高出力点灯時のランプ電力は３８Ｗであり、両者のランプ電力が略等しくなっている。また、ＦＨＤ４０の調光点灯時のランプ電力が２４．７Ｗであるのに対してＦＨＣ２７の定格出力は２７Ｗとなっており、両者のランプ電力が略等しくなっている。したがって、ランプ電力が略等しいＦＨＤ４０又はＦＨＣ２７の何れかを負荷とし、ランプ判別回路６により接続されたランプの種類を判別し、制御回路７が調光機能を利用してランプ電流を制御することによって、１つの点灯回路でＦＨＤ４０とＦＨＣ２７の両方を点灯させることができる。
【００３６】
このように、本点灯装置ではＦＨＤランプを点灯させるための点灯回路と、ＦＨＣランプを点灯させるための点灯回路とを共用化しており、異なる種類（ＦＨＤランプとＦＨＣランプ）の蛍光ランプで１台の点灯装置を共用することによって、蛍光ランプの種類毎に専用の点灯装置を用意する場合に比べて、開発、設計、製造などの各工程で総合的に点灯装置のコストダウンを図ることができる。
【００３７】
なお、ランプ電流検出回路５によるランプ電流の検出動作は、高周波電力変換回路４を特定の動作周波数で動作させた状態で行うのが好ましい。すなわち、蛍光ランプの種類が異なっていたり、調光度合（出力レベル）が異なっている条件で、ランプ電流の検出結果をもとに蛍光ランプの種類を判別すると、ランプ電流の検出結果が条件によって変化するため、種類の判別が難しくなって誤判別する虞がある。そこで、ランプ判別に用いるランプ電流の検出を特定の動作周波数で行うようにすれば、蛍光ランプの種類毎にランプ電流の検出値を予測することができ、蛍光ランプの種類を正確に判別することができる。例えば、同じ共振回路を用いて、高周波電力変換回路４の動作周波数を同じにした場合は、蛍光ランプの定格ランプ電力の合計値が大きいほど電流値が小さくなるので、ランプ電流の検出値から蛍光ランプの種類を確実に判別できる。
【００３８】
なお、図４はＦＨＤ４０とＦＨＣ２７のランプＩ−Ｖ特性を示しており、図４の丸付き数字の１がＦＨＣ２７の特性を、丸付き数字の２がＦＨＤ４０の特性を示している。この図から分かるように、ＦＨＤ４０とＦＨＣ２７とでは同一のランプ電流に対するランプ電圧が異なっている。したがって、制御回路７がランプ電流の値を所定の電流値に制御した状態で、ランプ電圧を検出することによって、ランプ電圧の違いから接続された蛍光ランプの種類を判別するようにしても良い。この場合、蛍光ランプが定常点灯している状態で蛍光ランプの種類を判別できるから、蛍光ランプが始動してから点灯状態へ移行するまでの間に、負荷判別の期間を設ける必要がなく、ランプを速やかに点灯させることができる。
【００３９】
また、本点灯装置ではＦＨＤランプに対するＦＨＣランプの組合せとして、蛍光ランプのランプ電力が略等しくなるような組合せを例に説明したが、蛍光ランプの出力が若干異なるような組合せを用いても良い。例えば７０Ｗ形のＦＨＤランプ（ＦＨＤ７０）と４１Ｗ形のＦＨＣランプ（ＦＨＣ４１）とを比較すると、ＦＨＤ７０の定格出力が６８Ｗであるのに対してＦＨＣ４１の高出力点灯時のランプ電力は５８Ｗであり、ＦＨＤ７０の調光点灯時のランプ電力が３８．７Ｗであるのに対してＦＨＣ４１の定格出力は４１Ｗとなっており、両者のランプ電力は若干異なっている。また、４０Ｗ形のＦＨＤランプ（ＦＨＤ４０）と３４Ｗ形のＦＨＣランプ（ＦＨＣ３４）とを比較すると、ＦＨＤ４０の定格出力が４１Ｗであるのに対してＦＨＣ３４の高出力点灯時のランプ電力は４８Ｗであり、ＦＨＤ４０の調光点灯時のランプ電力が２４．７Ｗであるのに対してＦＨＣ３４の定格出力は３４Ｗとなっており、両者のランプ電力は若干異なっている。
【００４０】
このような場合には、制御回路７が、ランプ判別回路６の判別結果をもとに接続された蛍光ランプに応じて出力を制御するようにしても良いが、例えば図３に示すようにランプ判別回路６の判別結果に応じてスイッチＳ３をオン／オフすることにより、コンデンサＣ３０，Ｃ３１の合計の静電容量値を変化させて、ＬＣ共振回路の定数を変化させ、出力の違いに対応するようにしても良い。
【００４１】
（基本構成１）
図５に放電灯点灯装置の回路ブロック図を示す。この放電灯点灯装置は、１灯のＦＨＤランプＦＬ１、又は、複数灯（本点灯装置では例えば２灯）のＦＨＣランプＦＬ２ａ，ＦＬ２ｂの直列回路の何れかを放電灯負荷として点灯させるためのもので、交流電源１の電源電圧を整流する整流回路２と、整流回路２の脈流電圧を平滑して所定電圧値の直流電圧に変換する入力歪改善回路３と、入力歪改善回路３の出力電圧をスイッチング素子でスイッチングすることによって高周波の交流電圧に変換する高周波電力変換回路４と、ランプ電流を検出するランプ電流検出回路５と、ランプ電流検出回路５の検出結果から接続された蛍光ランプの種類を判別するランプ判別回路６と、ランプ判別回路６の判別結果に基づいて入力歪改善回路３及び高周波電力変換回路４の出力を制御する制御回路７とで構成される。
【００４２】
ここで、放電灯灯負荷として１灯のＦＨＤランプＦＬ１を用いる場合は、高周波電力変換回路４の出力端子ａ１，ｂ１間に蛍光ランプＦＬ１の両フィラメントの電源側端子を接続する。蛍光ランプＦＬ１の両フィラメントの非電源側端子はそれぞれ出力端子ａ２，ｂ２に接続され、図示しない予熱回路から予熱電流が供給される。
【００４３】
また、放電灯灯負荷として２灯のＦＨＣランプＦＬ２ａ，ＦＬ２ｂを用いる場合は、蛍光ランプＦＬ２ａ，ＦＬ２ｂの一方のフィラメントの電源側端子間を電気的に接続するとともに、他方のフィラメントの電源側端子をそれぞれ高周波電力変換回路４の出力端子ａ１，ｂ１に接続する。また蛍光ランプＦＬ２ａ，ＦＬ２ｂの一方のフィラメントの非電源側端子はそれぞれ出力端子ｃ１，ｃ２に接続されるとともに、他方のフィラメントの非電源側端子はそれぞれ出力端子ａ２，ｂ２に接続されており、図示しない予熱回路から予熱電流が供給される。なお、一方の蛍光ランプＦＬ２ａと並列に、蛍光ランプＦＬ２ｂ，ＦＬ２ａを順番に始動させるためのシーケンスコンデンサＣ１を接続してある。
【００４４】
ここで、図６に１００Ｗ形と７０Ｗ形のＦＨＤランプ（ＦＨＤ１００，ＦＨＤ７０）と４１Ｗ形と３４Ｗ形のＦＨＣランプ（ＦＨＣ４１，ＦＨＣ３４）のランプ電流−ランプ電圧特性（以下ランプＩ−Ｖ特性と言う。）を示し、前出の表１にランプ電流、ランプ電圧、ランプ電力などの電気的特性を示す。尚、図６の丸付き数字の１はＦＨＤ１００のランプＩ−Ｖ特性、丸付き数字の２はＦＨＤ７０のランプＩ−Ｖ特性、丸付き数字の３はＦＨＣ４１のランプＩ−Ｖ特性、丸付き数字の４はＦＨＣ３４のランプＩ−Ｖ特性をそれぞれ示している。
【００４５】
参考例１で説明したように、ＦＨＤランプの定格ランプ電流とＦＨＣランプの高出力点灯時におけるランプ電流とが略等しく、またＦＨＤランプの調光時におけるランプ電流とＦＨＣランプの定格ランプ電流とが略等しくなっているので、本点灯装置では特性の似通ったＦＨＤランプとＦＨＣランプとで点灯回路を共用するようにしている。つまり、本点灯装置では１灯のＦＨＤランプに対して、合計のランプ電力が略等しくなるような直列接続された複数灯のＦＨＣランプを対応させ、１灯のＦＨＤランプ、又は、複数灯のＦＨＣランプの直列回路の何れかを高周波電力変換回路４の出力端子間に接続して、点灯させている。
【００４６】
ここで、ランプ判別回路６は、ランプ電流検出回路５の検出結果を用い、ランプ電流の違いから接続された蛍光ランプの種類を判別し、判別結果を示す信号を制御回路７に出力する。制御回路７では、ランプ判別回路６から入力された信号に基づいて、接続されている蛍光ランプの種類に応じたランプ電流が供給されるよう、入力歪改善回路３又は高周波電力変換回路４の出力を変化させており、１つの点灯回路でＦＨＤランプと、ＦＨＣランプの両方を点灯させることができる。
【００４７】
例えば、ＦＨＣランプの内、定格ランプ電力が３４Ｗと４１Ｗのランプ（ＦＨＣ３４，ＦＨＣ４１）は、高出力時のランプ電力がそれぞれ４８Ｗと５８Ｗになり、両者を直列接続して使用した場合のランプ電圧は２４６Ｖとなって、定格ランプ電力が１００ＷのＦＨＤランプ（ＦＨＤ１００）のランプ電圧（＝２２９Ｖ）に略等しくなるので、ＦＨＤ１００の代わりに、ＦＨＣ３４とＦＨＣ４１とを直列接続して、点灯させることができる。
【００４８】
なお、ランプ電流検出回路５によるランプ電流の検出動作は、高周波電力変換回路４を特定の動作周波数で動作させた状態で行うのが好ましい。すなわち、蛍光ランプの種類が異なっていたり、調光度合（出力レベル）が異なっている条件で、ランプ電流の検出結果をもとに蛍光ランプの種類を判別すると、ランプ電流の検出結果が条件によって変化するため、種類の判別が難しくなって誤判別する虞がある。そこで、ランプ判別に用いるランプ電流の検出を特定の動作周波数で行うようにすれば、蛍光ランプの種類毎にランプ電流の検出値を予測することができ、蛍光ランプの種類を正確に判別することができる。例えば、同じ共振回路を用いて、高周波電力変換回路４の動作周波数を同じにした場合は、蛍光ランプの定格ランプ電力の合計値が大きいほど電流値が小さくなるので、ランプ電流の検出値から蛍光ランプの種類を判別できる。
【００４９】
上述のように本点灯装置ではＦＨＤ１００を点灯させるための点灯回路と、ＦＨＣ３４とＦＨＣ４１とが直列に接続された放電灯負荷を点灯させるための点灯回路とを共用化することができ、異なる種類（ＦＨＤランプとＦＨＣランプ）の蛍光ランプで１台の点灯装置を共用することによって、蛍光ランプ種類毎に専用の点灯装置を用意する場合に比べて、開発、設計、製造などの各工程で総合的に点灯装置のコストダウンを図ることができる。
【００５０】
尚、本点灯装置ではＦＨＤランプに対するＦＨＣランプの組合せとして、ＦＨＤ１００と、ＦＨＣ３４及びＦＨＣ４１を直列接続した放電灯負荷との組合せを例に説明を行ったが、上記の組合せに限定する趣旨のものではない。表２はＦＨＤランプに対するＦＨＣランプの組合せを示しており、例えば８０Ｗ形のＦＨＤランプ（ＦＨＤ７０）には、２７Ｗ形と３４Ｗ形のＦＨＣランプ（ＦＨＣ２７、ＦＨＣ３４）を直列接続した放電灯負荷を対応させ、７０Ｗ形のＦＨＤランプ（ＦＨＤ７０）には、２０Ｗ形と２７Ｗ形のＦＨＣランプ（ＦＨＣ２０、ＦＨＣ２７）を直列接続した放電灯負荷を対応させれば良い。
【００５１】
【表２】
0004120211.tif 000003
また、１００Ｗ形と４０Ｗ形のＦＨＤランプを直列接続した放電灯負荷に対して、２０Ｗ形と２７Ｗ形と３４Ｗ形のＦＨＣランプ（ＦＨＣ２０、ＦＨＣ２７、ＦＨＣ３４）を直列接続した放電灯負荷、又は、２７Ｗ形と３４Ｗ形と４１Ｗ形のＦＨＣランプ（ＦＨＣ２７、ＦＨＣ３４、ＦＨＣ４１）を直列接続した放電灯負荷の何れかを対応させるようにしても良い。
【００５２】
この放電灯点灯装置では、点灯装置の有する調光機能を利用し、制御回路７が入力歪改善回路３または電力変換回路４の出力を変化させることによってランプ電流を制御している。放電灯負荷としてＦＨＤランプの代わりに、直列接続された複数本のＦＨＣランプを用いる場合は、ランプ電圧ＶＬａやランプ電力ＷＬａやランプ等価インピーダンスＲＬａの値が、ＦＨＤランプを負荷として、出力を若干絞った状況に近いので、制御回路７が、ランプ判別回路６の判別結果をもとに、接続された蛍光ランプに応じて出力電力を制御することで、異なる種類の蛍光ランプに対応することができる。また、本点灯装置では複数灯のＦＨＣランプを点灯させる場合、複数灯のＦＨＣランプを１つの点灯装置で点灯させているので、点灯装置のばらつきによって複数灯のＦＨＣランプの光出力がばらつくのを防止できるという利点もある。
【００５３】
なお、ランプの判別後に調光モードへ移行する場合、制御回路７では蛍光ランプの種類が異なっても、調光レベルが同じになるように高周波電力変換回路４の出力を調整している。すなわち、ＦＨＤランプとＦＨＣランプとでは全点灯時のランプ電流が異なるため、同じ調光比を得るためには、調光時におけるランプ電流も異なってくる。そのため、制御回路７では、蛍光ランプの種類毎に調光時のランプ電流を予め設定しており、同一の点灯装置を用いて異なる種類の蛍光ランプを同じ調光比で調光点灯できるよう、上記設定値に基づいてランプ電流を制御している。
【００５４】
（基本構成２）
図７に放電灯点灯装置の回路ブロック図を示す。尚、放電灯点灯装置の回路構成は基本構成１と同じであるので、同一の構成要素には同一の符合を付して、その説明は省略する。
【００５５】
図７の回路ブロック図では点灯回路の回路基板ＣＢ１への実装状態を模式的に示しており、整流回路２と、入力歪改善回路３と、高周波電力変換回路４と、ランプ電流検出回路５と、ランプ判別回路６と、制御回路７とを同一の回路基板ＣＢ１に実装している。また、回路基板ＣＢ１には４個の２極コネクタＣＮ１〜ＣＮ４が設けられており、コネクタＣＮ１の２極の端子は上述した出力端子ａ１，ａ２に、コネクタＣＮ２の２極の端子は上述した出力端子ｂ１，ｂ２に、コネクタＣＮ３の２極の端子は上述した出力端子ｃ１，ｃ２にそれぞれ対応する。また、コネクタＣＮ４の２極の端子は整流回路２の入力端子にそれぞれ接続されており、コネクタＣＮ４には交流電源１が接続される。
【００５６】
ここで、放電灯負荷として１灯のＦＨＤランプＦＬ１からなる負荷回路Ａ１を用いる場合には、コネクタＣＮ１の２極の端子ａ１，ａ２間に蛍光ランプＦＬ１の一方のフィラメントの端子ｔ１１，ｔ１２を接続するとともに、コネクタＣＮ２の２極の端子ｂ１，ｂ２間に蛍光ランプＦＬ２の他方のフィラメントの端子ｔ１３，ｔ１４を接続すれば良い。
【００５７】
また、放電灯負荷として直列接続された２灯のＦＨＣランプＦＬ２ａ，ＦＬ２ｂからなる負荷回路Ａ２を用いる場合には、コネクタＣＮ１の２極の端子ａ１，ａ２間に蛍光ランプＦＬ２ａの一方のフィラメント（蛍光ランプＦＬ２ｂに接続されていない側のフィラメント）の端子ｔ２１，ｔ２２を接続するとともに、コネクタＣＮ２の２極の端子ｂ１，ｂ２間に蛍光ランプＦＬ２ｂの一方のフィラメント（蛍光ランプＦＬ２ａに接続されていない側のフィラメント）の端子ｔ２３，ｔ２４を接続し、さらにコネクタＣＮ３の２極の端子ｃ１，ｃ２に蛍光ランプＦＬ２ａ，ＦＬ２ｂの他方のフィラメントの非電源側端子ｔ２５，ｔ２６をそれぞれ接続すれば良い。
【００５８】
（基本構成３）
図８に放電灯点灯装置の回路ブロック図を示す。本点灯装置では、基本構成２の放電灯点灯装置において、ランプ電圧を検出するランプ電圧検出回路８を設けており、ランプ判別回路６では、両検出回路５，８の検出結果からランプ電力を求めて、接続されている蛍光ランプの種類を判別している。尚、ランプ電圧検出回路８以外の構成は基本構成１又は２と同様であるので、同一の構成要素には同一の符号を付してその説明は省略する。
【００５９】
また基本構成２では、図７に示すように蛍光ランプＦＬ２ａの両端間に接続されるコンデンサＣ１を外付けにしているのに対して、本点灯装置ではコンデンサＣ１を他の回路とともに回路基板ＣＢ１に実装している。そして、蛍光ランプＦＬ２ａ，ＦＬ２ｂの互いに接続される側のフィラメントがそれぞれ接続される２個のコネクタＣＮ３ａ，ＣＮ３ｂを設け、各コネクタＣＮ３ａ，ＣＮ３ｂの一方の端子ｃ３，ｃ４とコネクタＣＮ１の端子ａ２との間にコンデンサＣ１を電気的に接続している。
【００６０】
ここで、放電灯負荷として例えば１００Ｗ形のＦＨＤランプＦＬ１からなる負荷回路Ａ１、又は、直列接続された４１Ｗ形及び３４Ｗ形のＦＨＣランプＦＬ２ａ，ＦＬ２ｂからなる負荷回路Ａ２の何れかを用いる場合について説明する。図９は負荷回路Ａ１，Ａ２のランプＩ−Ｖ特性を示しており、同図中の丸付き数字の１は負荷回路Ａ１の特性を、丸付き数字の２は負荷回路Ａ２の特性をそれぞれ示している。
【００６１】
ここで、蛍光ランプの種類を判別する場合、制御回路７は、ランプ電流が約４３０ｍＡになるように入力歪改善回路３または高周波電力変換回路４の出力を制御して蛍光ランプを点灯させ、この状態で両検出回路５，８がランプ電流とランプ電圧（２灯の場合はその合計値）を検出し、ランプ判別回路６は両検出回路５，８の検出結果を用いてランプ電力を求めている。
【００６２】
前出の表２に示すように、１００Ｗ形のＦＨＤランプ（ＦＨＤ１００）からなる負荷回路Ａ１を定格点灯させた場合と、４１Ｗ形と３４Ｗ形のＦＨＣランプ（ＦＨＣ４１，ＦＨＣ３４）を直列接続した負荷回路Ａ２を高出力点灯させた場合とでは、負荷回路Ａ２の方がランプ電力が大きくなるので、ランプ判別回路５では両検出回路５，８の検出結果から求めたランプ電力と所定の判別値との大小を比較することによって、接続されている放電灯負荷がＦＨＤランプか、または、ＦＨＣランプの組合せかを確実に判別できる。
【００６３】
そして、蛍光ランプの種類の判別動作が終了すると、ランプ判別回路６は制御回路７に判別結果を示す信号を出力しており、制御回路７は接続されている蛍光ランプに応じて高周波電力変換回路４の出力を制御する。例えば、ランプ電力の値が判別値以下であれば、ランプ判別回路６はＦＨＤ１００が接続されているものと判断し、ランプ判別回路６の判別結果に基づいて制御回路７はランプ電流が約４３０ｍＡとなるように出力を制御し、蛍光ランプを定格点灯状態で点灯させる。一方、ランプ電力の値が判別値以上であれば、ランプ判別回路６はＦＨＣ４１Ｗ及びＦＨＣ３４Ｗの直列回路が接続されているものと判断し、ランプ判別回路６の判別結果に基づいて制御回路７はランプ電流が約３８０ｍＡとなるように出力を制御し、蛍光ランプを高出力状態で点灯させる。
【００６４】
なお、ランプ判別回路６が蛍光ランプの種類を判別するタイミングは、ランプ始動後の一定時間とすることが望ましい。また、本点灯装置では、ランプ電流が約４３０ｍＡとなるように出力を制御した状態で、蛍光ランプの判別を行っているが、ランプ判別時のランプ電流を４３０ｍＡに限定する趣旨のものではなく、ランプの判別がしやすい任意の電流値に制御して種類の判別を行えば良い。
【００６５】
また、所定のランプ電流で蛍光ランプを点灯させた時のランプ電力からランプの種類を判別する本点灯装置の構成を、上述した参考例１の放電灯点灯装置や後述する基本構成２６の放電灯点灯装置に用いても良いことは言うまでもない。
【００６６】
（基本構成４）
図１０に放電灯点灯装置の回路ブロック図を示す。上述した基本構成３では、ランプ電流とランプ電圧の検出結果からランプ電力を求めて、蛍光ランプの種類を判別しているのに対して、本点灯装置では、ランプ照度を検出する照度センサ９を設け、所定のランプ電流で蛍光ランプを点灯させた時のランプ照度をもとに蛍光ランプの種類を判別している。尚、照度センサ９以外の構成は基本構成１又は３と同様であるので、同一の構成要素には同一の符号を付して、その説明は省略する。
【００６７】
ここで、放電灯負荷として例えば１００Ｗ形のＦＨＤランプＦＬ１からなる負荷回路Ａ１、又は、直列接続された４１Ｗ形及び３４Ｗ形のＦＨＣランプＦＬ２ａ，ＦＬ２ｂからなる負荷回路Ａ２の何れかを用いる場合について説明する。
【００６８】
本回路では蛍光ランプの種類を判別する場合、制御回路７は、ランプ電流が約４３０ｍＡになるように入力歪改善回路３または高周波電力変換回路４の出力を制御して蛍光ランプを点灯させており、この状態で照度センサ９によりランプ照度を検出して、検出結果をランプ判別回路６に出力する。
【００６９】
前出の表２に示すように、１灯のＦＨＤ１００からなる負荷回路Ａ１を定格点灯させた場合と、ＦＨＣ４１及びＦＨＣ３４を直列接続した負荷回路Ａ２を高出力点灯させた場合とでは、負荷回路Ａ２の方がランプ光束が大きくなり、ランプ照度も明るくなる。したがって、ランプ判別回路６では、照度センサ９の検出したランプ照度と所定の判別値との明暗を比較することによって、接続されている放電灯負荷がＦＨＤランプか、又は、ＦＨＣランプの組合せかを確実に判別できる。そして、蛍光ランプの種類の判別動作が終了すると、ランプ判別回路６は制御回路７に判別結果を示す信号を出力しており、制御回路７は接続されている蛍光ランプに応じて高周波電力変換回路４の出力を制御する。
【００７０】
例えば、ランプ照度の検出値が判別値よりも暗ければ、ランプ判別回路６は１灯のＦＨＤ１００が接続されているものと判断し、制御回路７はランプ判別回路６の判別結果に基づいてランプ電流が約４３０ｍＡとなるように出力を制御して、蛍光ランプを定格点灯状態で点灯させる。一方、ランプ照度の検出値が判別値よりも明るければ、ランプ判別回路６はＦＨＣ４１及びＦＨＣ３４の直列回路が接続されているものと判断し、制御回路７はランプ判別回路６の判別結果に基づいてランプ電流が約３８０ｍＡとなるように出力を制御して、蛍光ランプを高出力状態で点灯させる。
【００７１】
なお、ランプ判別回路６が蛍光ランプの種類を判別するタイミングは、ランプ始動後の一定時間とすることが望ましい。また、本点灯装置では、ランプ電流が約４３０ｍＡとなるように出力を制御した状態で、蛍光ランプの判別を行っているが、ランプ判別時のランプ電流を４３０ｍＡに限定する趣旨のものではなく、ランプの判別がしやすい任意の電流値に制御して種類の判別を行えば良い。
【００７２】
また、所定のランプ電流で蛍光ランプを点灯させた時のランプ照度からランプの種類を判別する本点灯装置の構成を、上述した参考例１の放電灯点灯装置や後述する基本構成２６の放電灯点灯装置に用いても良いことは言うまでもない。
【００７３】
（基本構成５）
本発明の基本構成５を図１１を参照して説明する。尚、放電灯点灯装置の回路構成は基本構成３の回路と同様であるので、同一の構成要素には同一の符号を付して、図示及び説明は省略する。
【００７４】
本点灯装置も、参考例１又は基本構成１と同様、放電灯負荷としてＦＨＤランプ、或いは、ＦＨＣランプの何れかを用いている。すなわち、ランプ判別回路６がランプの種類を判別して判別結果を制御回路７に出力しており、制御回路７では接続された蛍光ランプに応じて出力電力を制御することによって、１台の点灯装置で異なる種類の蛍光ランプを安定に点灯させている。なお、ＦＨＤランプとＦＨＣランプの組合せとしては基本構成１と同様に種々の組合せがあり、例えば４０Ｗ形のＦＨＤランプ（ＦＨＤ４０）には、２７Ｗ形のＦＨＣランプ（ＦＨＣ２７）を対応させている。
【００７５】
ここで、図１１は各蛍光ランプのランプ電流ＩＬａとランプ電圧ＶＬａとの関係をそれぞれ説明する説明図であり、同図中の丸付き数字の１は定格ランプ電力が４０Ｗ（全点灯時の消費電力が４１Ｗ）のＦＨＤ４０の特性を、丸付き数字の２は定格ランプ電力が２７Ｗ（高出力点灯時の消費電力が３８Ｗ）のＦＨＣ２７の特性をそれぞれ示している。図１１から明らかなように、ＦＨＤ４０とＦＨＣ２７とではランプＩ−Ｖ特性が異なっており、同一のランプ電流ＩＬａに対するランプ電圧ＶＬａが異なっている。
【００７６】
したがって、制御回路７がランプ電流ＩＬａの値を所定の電流値に制御した状態で、ランプ電圧検出回路８がランプ電圧を検出することにより、ランプ電圧の違いから接続されている蛍光ランプの種類を確実に検出することができる。この場合、蛍光ランプが定常点灯している状態で蛍光ランプの種類を判別できるから、蛍光ランプが始動してから点灯状態へ移行するまでの間に、負荷判別の期間を設ける必要がなく、ランプを速やかに点灯させることができる。
【００７７】
（基本構成６）
本発明の基本構成６を図１２及び図１３を参照して説明する。尚、この放電灯点灯装置の回路構成は基本構成３の回路と同様であるので、同一の構成要素には同一の符号を付して、図示及び説明は省略する。
【００７８】
本点灯装置では、基本構成３と同様、ランプ判別回路６が、ランプ電流検出回路５およびランプ電圧検出回路８の検出結果からランプ電力を求め、接続されている蛍光ランプの種類を判別しているのであるが、高周波電力変換回路４を無負荷共振周波数ｆ０付近の周波数ｆ１で動作させ、蛍光ランプを点灯させている状態で、ランプ判別回路６によりランプの種類を判別している。
【００７９】
例えば、放電灯負荷として、定格ランプ電力が１００ＷのＦＨＤランプＦＬ１からなる負荷回路Ａ１、或いは、直列接続された定格ランプ電力が４１Ｗと３４ＷのＦＨＣランプＦＬ２ａ，ＦＬ２ｂからなる負荷回路Ａ２の何れかを用いる場合について説明する。図１２は高周波電力変換回路４の周波数特性の説明図であり、同図中の丸付き数字の１は無負荷時、丸付き数字の２は点灯時の特性をそれぞれ示している。また、図１３は負荷回路Ａ１，Ａ２のランプＩ−Ｖ特性および高周波電力変換回路４の出力特性の説明図であり、同図中の丸付き数字の１はＦＨＤ１００のランプＩ−Ｖ特性を、丸付き数字の２はＦＨＣ４１およびＦＨＣ３４からなる負荷回路のランプＩ−Ｖ特性を、丸付き数字の３は高周波電力変換回路４の出力特性をそれぞれ示している。
【００８０】
図１３から明らかなように、高周波電力変換回路４を共振周波数ｆ０近傍の周波数ｆ１（ｆ１＞ｆ０）で動作させた場合、高周波電力変換回路４の出力特性は略定電流特性となり、このときのランプ電流は何れのランプを接続した場合でも略等しくなる。したがって、ＦＨＤ１００からなる負荷回路Ａ１を接続した場合と、ＦＨＣ４１およびＦＨＣ３４からなる負荷回路Ａ２を接続した場合とで、ランプ電力やランプ照度の違いがより明確になり、ランプ判別の精度を向上させることができる。
【００８１】
尚、本点灯装置では高周波電力変換回路４を周波数ｆ１で動作させた状態で、ランプ電圧およびランプ電流の検出結果からランプ電力を求め、ランプの種類を判別しているが、基本構成４の放電灯点灯装置において、高周波電力変換回路４を周波数ｆ１で動作させた状態で照度センサ９によりランプ照度を測定し、ランプ照度の違いから蛍光ランプの種類を判別するようにしても良い。また、上述した参考例１の放電灯点灯装置や後述する基本構成２６の放電灯点灯装置において、高周波電力変換回路４を無負荷共振周波数ｆ０の近傍の周波数ｆ１で動作させて蛍光ランプを点灯させた状態でランプ電力やランプ照度などから蛍光ランプの種類を判別するようにしていも良い。
【００８２】
（基本構成７）
基本構成７の放電灯点灯装置の回路ブロック図を図１４に示す。本点灯装置では、基本構成１の放電灯点灯装置において、接続された蛍光ランプＦＬ１又はＦＬ２ａ，ＦＬ２ｂの直列回路のフィラメント抵抗を検出するためのフィラメント抵抗検出回路１０を設けており、ランプ判別回路６ではフィラメント抵抗検出回路１０の検出結果を用いて接続された蛍光ランプの種類を判別している。尚、フィラメント抵抗検出回路１０以外の構成は基本構成１と同様であるので、同一の構成要素には同一の符号を付して、その説明は省略する。
【００８３】
前出の表２に示すように、ＦＨＤランプとＦＨＣランプとではフィラメント抵抗（ランプ等価インピーダンス）ＲＬａが異なっているので、本点灯装置ではランプ電流を検出する代わりに、フィラメント抵抗検出回路１０を用いてフィラメント抵抗を検出し、その検出結果を用いてランプ判別回路６が蛍光ランプの種類を判別している。そして、制御回路７では、ランプ判別回路６から入力された信号に基づいて、接続されている蛍光ランプの種類に応じたランプ電流が供給されるよう、入力歪改善回路３又は高周波電力変換回路４の出力を変化させており、１つの点灯回路でＦＨＤランプと、ＦＨＣランプの両方を点灯させることができる。
【００８４】
尚、上述した参考例１の放電灯点灯装置や後述する基本構成２６の放電灯点灯装置において、本点灯装置と同様に、フィラメント抵抗を検出してフィラメント抵抗の違いから蛍光ランプの種類を判別するようにしても良いことは言うまでもない。
【００８５】
（基本構成８）
基本構成８の放電灯点灯装置の回路ブロック図を図１５に示す。本点灯装置では、基本構成１の放電灯点灯装置において、ランプ電流を検出するランプ電流検出回路５の代わりに、ランプ電圧ＶＬａを検出するランプ電圧検出回路８を設けている。そして、ランプ電圧検出回路８によりランプ始動時のランプ電圧（始動電圧）を検出し、始動電圧の違いから接続された蛍光ランプの種類を判別している。尚、ランプ電圧検出回路８以外の構成は基本構成１と同様であるので、同一の構成要素には同一の符号を付して、その説明は省略する。
【００８６】
ここで、放電灯負荷として、例えば定格ランプ電力が１００ＷのＦＨＤランプＦＬ１からなる負荷回路Ａ１（全点灯時の消費電力９７Ｗ）、又は、直列接続された定格ランプ電力が４１Ｗと３４ＷのＦＨＣランプＦＬ２ａ，ＦＬ２ｂからなる負荷回路Ａ２（高出力点灯時の消費電力１０６Ｗ）の何れかを用いる場合について説明する。図１６（ａ）は放電灯負荷として負荷回路Ａ２を用いた場合のランプ始動時におけるランプ電圧波形を、図１６（ｂ）は放電灯負荷として負荷回路Ａ１を用いた場合のランプ始動時におけるランプ電圧波形をそれぞれ示す。
【００８７】
放電灯負荷として直列接続されたＦＨＣランプＦＬ２ａ，ＦＬ２ｂからなる負荷回路Ａ２を用いる場合、負荷回路Ａ２に始動電圧を印加すると、一方の蛍光ランプＦＬ２ａにはシーケンスコンデンサＣ１が接続されているので、コンデンサＣ１が接続されていない側の蛍光ランプＦＬ２ｂが始めに放電を開始する。ここで、ＦＨＣ４１とＦＨＣ３４の放電路を２本合わせた放電路の長さはＦＨＤ１００の放電路の長さに略等しくなるが、始動時にはＦＨＣ４１又はＦＨＣ３４の何れか一方のみが放電を開始するので、負荷回路Ａ２の始動電圧ＶｓはＦＨＣ１００の始動電圧よりも低くなる。
【００８８】
したがって、１灯のＦＨＤランプからなる負荷回路Ａ１と、直列接続された２灯のＦＨＣランプからなる負荷回路Ａ２とでは、定常点灯時におけるランプ電流やランプ電圧が略等しいとしても、始動電圧Ｖｓが異なるので、ランプ電圧検出回路８が始動電圧を検出することによって、ランプ判別回路６が始動電圧Ｖｓの違いから蛍光ランプの種類を確実に検出することができる。そして、制御回路７では、ランプ判別回路６から入力された信号に基づいて、接続されている蛍光ランプの種類に応じたランプ電流が供給されるよう、入力歪改善回路３又は高周波電力変換回路４の出力を変化させており、１つの点灯回路でＦＨＤランプと、ＦＨＣランプの両方を点灯させることができる。また、本点灯装置では始動電圧Ｖｓの違いから蛍光ランプの種類を判別しているので、負荷判別のための期間を設ける必要がなく、ランプを速やかに点灯させることができる。
【００８９】
尚、上述した参考例１の放電灯点灯装置や後述する基本構成２６の放電灯点灯装置において、本点灯装置と同様に、始動電圧Ｖｓの違いから蛍光ランプの種類を判別するようにしても良く、上述と同様の効果がある。
【００９０】
（基本構成９）
本発明の基本構成９を図１７及び図１８を参照して説明する。尚、この放電灯点灯装置の回路構成は基本構成１と同様であるので、図示及び説明は省略する。
【００９１】
図１７（ａ）は放電灯負荷としてＦＨＤランプＦＬ１からなる負荷回路Ａ１を用いた場合の要部のブロック図であり、図１７（ｂ）はその場合の始動・点灯時におけるランプ電圧の波形図である。また、図１８（ａ）は放電灯負荷として直列接続されたＦＨＣランプＦＬ２ａ，ＦＬ２ｂからなる負荷回路Ａ２を用いた場合の要部のブロック図であり、図１８（ｂ）はその場合の始動・点灯時におけるランプ電圧の波形図である。これらの図から明らかなように、蛍光ランプＦＬ１からなる負荷回路Ａ１と、蛍光ランプＦＬ２ａ，ＦＬ２ｂからなる負荷回路Ａ２とでは始動電圧がそれぞれ異なっている。
【００９２】
ここで、ランプ始動時は、蛍光ランプに高電圧を印加して始動させるために、高周波電力変換回路４の動作周波数を無負荷共振周波数ｆ０に近づけるように変化させているが、負荷回路Ａ１と負荷回路Ａ２とで始動電圧が異なっているので、蛍光ランプが始動した時点における高周波電力変換回路４の動作周波数も異なっている。そこで、本点灯装置ではランプ判別回路６が、蛍光ランプの始動時における高周波電力変換回路４の動作周波数を検出しており、動作周波数の違いから蛍光ランプの種類を判別することができる。そして、制御回路７では、ランプ判別回路６から入力された信号に基づいて、接続されている蛍光ランプの種類に応じたランプ電流が供給されるよう、入力歪改善回路３又は高周波電力変換回路４の出力を変化させており、１つの点灯回路でＦＨＤランプと、ＦＨＣランプの両方を点灯させることができる。
【００９３】
また制御回路７では、ランプ判別後、高周波電力変換回路４の動作周波数およびオンデューティを、それぞれの蛍光ランプが安定に点灯するような値に設定し、各蛍光ランプに合わせた調光点灯範囲を設定しているので、全点灯時および調光点灯時にそれぞれの蛍光ランプを安定に動作させることができる。
【００９４】
尚、上述した参考例１の放電灯点灯装置や後述する基本構成２６の放電灯点灯装置において、本点灯装置と同様に、蛍光ランプの始動時における高周波電力変換回路４の動作周波数を検出して、動作周波数の違いから蛍光ランプの種類を判別するようにしても良いことは言うまでもない。
【００９５】
（基本構成１０）
この放電灯点灯装置の回路図を図１９に示す。本回路は基本構成８の放電灯点灯装置の具体回路であり、交流電源１の電源電圧を整流するダイオードブリッジのような整流回路２と、整流回路２の脈流電圧を平滑する平滑コンデンサＣ０と、平滑コンデンサＣ０により平滑された電圧Ｖｄｃをスイッチング素子Ｑ１，Ｑ２でスイッチングすることによって高周波の交流電圧に変換する高周波電力変換回路４と、平滑コンデンサＣ０の両端電圧Ｖｄｃを検出する電圧検出回路１１と、電圧検出回路１１の検出結果から蛍光ランプの種類を判別するランプ判別回路６と、ランプ判別回路６の判別結果に基づいて高周波電力変換回路４の出力を制御する制御回路７とで構成される。
【００９６】
また、高周波電力変換回路４はハーフブリッジ形のインバータ回路からなり、平滑コンデンサＣ０の両端間に接続されたＭＯＳＦＥＴよりなるスイッチング素子Ｑ１，Ｑ２の直列回路と、スイッチング素子Ｑ１，Ｑ２の接続点に一端が接続されたインダクタＬ１と、インダクタＬ１の他端に一方のフィラメントの電源側端子が接続された蛍光ランプＦＬ１と、蛍光ランプＦＬ１の他方のフィラメントの電源側端子とスイッチング素子Ｑ２の他端との間に接続されたコンデンサＣ３と、蛍光ランプＦＬ１の両フィラメントの非電源側端子間に接続されたコンデンサＣ２とで構成される。なお、ハーフブリッジ形のインバータ回路の動作は従来周知であるので、その説明は省略する。
【００９７】
本回路は１灯のＦＨＤランプＦＬ１、又は、複数灯（例えば２灯）のＦＨＣランプＦＬ２ａ，ＦＬ２ｂの直列回路の何れかを放電灯負荷として点灯させるためのものであり、図１９は放電灯負荷として１灯のＦＨＤランプＦＬ１を用いる場合を示しているが、ＦＨＤランプの代わりに、直列接続された２灯のＦＨＣランプＦＬ２ａ，ＦＬ２ｂを用いる場合には蛍光ランプＦＬ２ａ，ＦＬ２ｂの直列回路をインダクタＬ１とコンデンサＣ３との間に接続すれば良い。
【００９８】
ここで、蛍光ランプの先行予熱期間Ｔ１から始動期間Ｔ２を経て点灯期間Ｔ３に至るまでの平滑コンデンサＣ０の両端電圧Ｖｄｃの波形図を図２０（ａ）に、ランプ電圧ＶＬａの波形図を図２０（ｂ）にそれぞれ示す。図２０（ａ）（ｂ）から明らかなように、始動期間Ｔ２において蛍光ランプが放電を開始するまでのランプ電圧ＶＬａは平滑コンデンサＣ０の両端電圧Ｖｄｃに比例しているため、蛍光ランプが放電を開始した時の平滑コンデンサＣ０の両端電圧Ｖｄｃを検出すれば、その時の始動電圧Ｖｓを推測することができる。
【００９９】
基本構成９で説明したように、負荷回路Ａ１と負荷回路Ａ２とでは蛍光ランプが放電を開始したときの始動電圧が異なっているので、本点灯装置では非常に高い電圧となる始動電圧を検出する代わりに、電圧検出回路１１を用いて蛍光ランプが放電を開始する時の平滑コンデンサＣ０の両端電圧Ｖｄｃを検出し、その検出結果をランプ判別回路６に出力する。ランプ判別回路６では、電圧検出回路１１の検出結果をもとにして蛍光ランプの始動電圧Ｖｓを推測し、その推測値から接続されている蛍光ランプの種類を判別する。そして、制御回路７では、ランプ判別回路６から入力された信号に基づいて、接続されている蛍光ランプの種類に応じたランプ電流が供給されるよう、高周波電力変換回路４の出力を変化させており、１つの点灯回路でＦＨＤランプと、ＦＨＣランプの両方を点灯させることができる。
【０１００】
このように、本点灯装置では蛍光ランプが始動したときの平滑コンデンサＣ０の両端電圧Ｖｄｃを検出し、その検出結果から始動電圧を推測しているので、非常に高い電圧となって、検出が難しい始動電圧を直接検出することなく、ランプの判別を行えるという利点がある。
【０１０１】
尚、上述した参考例１の放電灯点灯装置や後述する基本構成２６の放電灯点灯装置において、本点灯装置と同様に、蛍光ランプが始動したときの平滑コンデンサＣ０の両端電圧Ｖｄｃを検出し、その検出結果から始動電圧を推測して、始動電圧の違いから蛍光ランプの種類を判別するようにしても良いことは言うまでもない。
【０１０２】
（基本構成１１）
本発明の基本構成１１を図２１を参照して説明する。基本構成１０では蛍光ランプが始動した時の平滑コンデンサＣ０の両端電圧Ｖｄｃから始動電圧を推定し、始動電圧の違いから蛍光ランプの種類を判別しているが、本点灯装置では蛍光ランプが始動した時のスイッチング素子Ｑ１，Ｑ２のオンデューティから始動電圧を推定して、始動電圧の違いから蛍光ランプの種類を判別している。尚、本点灯装置の回路構成は基本構成１０と略同様であるので、同一の構成要素には同一の符号を付して、その説明は省略する。
【０１０３】
基本構成１０で説明したように、高周波電力変換回路４はハーフブリッジ形のインバータ回路からなり、スイッチング素子Ｑ１，Ｑ２は制御回路７によって交互にオン／オフされる。そして、スイッチング素子Ｑ１，Ｑ２のオンデューティが５０％に近付くほど（すなわち、スイッチング素子Ｑ１，Ｑ２のオン期間が長くなるほど）、ランプ電圧ＶＬａが上昇する。
【０１０４】
ここで、図２１（ａ）（ｂ）に蛍光ランプの先行予熱期間Ｔ１から始動期間Ｔ２を経て点灯期間Ｔ３に至るまでの各部の波形図を示す。なお、図２１（ａ）はスイッチング素子Ｑ２のオンデューティの変化を示す波形図を、図２１（ｂ）はランプ電圧ＶＬａの波形図をそれぞれ示している。
【０１０５】
蛍光ランプの先行予熱期間Ｔ１では、制御回路７は、スイッチング素子Ｑ１，Ｑ２を２０％程度のオンデューティで動作させ、ランプ電圧ＶＬａを蛍光ランプが始動しないような低い電圧に抑制し、蛍光ランプのフィラメントを予熱する。
【０１０６】
次に、蛍光ランプのフィラメントが十分予熱されると、制御回路７はスイッチング素子Ｑ２（Ｑ１）のオンデューティを徐々に５０％に近づけて行き、ランプ電圧ＶＬａを上昇させて、蛍光ランプを始動させる。
【０１０７】
そして、蛍光ランプがブレークダウンして、放電を開始すると、制御回路７はスイッチング素子Ｑ２（Ｑ１）のオンデューティを所望のランプ電圧が得られるような値に変化させ、蛍光ランプを安定に点灯させる。
【０１０８】
基本構成９で説明したように、負荷回路Ａ１と負荷回路Ａ２とでは蛍光ランプが放電を開始したときの始動電圧が異なっているので、本点灯装置では非常に高い電圧となる始動電圧を検出する代わりに、蛍光ランプが放電を開始したときのスイッチング素子Ｑ１，Ｑ２のオンデューティを検出している。つまり、制御回路７からランプ判別回路６へスイッチング素子Ｑ１，Ｑ２のオンデューティを示す信号を出力させており、ランプ判別回路６では、スイッチング素子Ｑ１，Ｑ２のオンデューティから蛍光ランプの始動電圧Ｖｓを推測し、その推測値を用いて接続されている蛍光ランプの種類を判別する。そして、制御回路７では、ランプ判別回路６から入力された信号に基づいて、接続されている蛍光ランプの種類に応じたランプ電流が供給されるよう、高周波電力変換回路４の出力を変化させており、１つの点灯回路でＦＨＤランプと、ＦＨＣランプの両方を点灯させることができる。
【０１０９】
このように、本点灯装置ではスイッチング素子Ｑ１，Ｑ２のオンデューティから始動電圧を推測しているので、非常に高い電圧となって、検出が難しい始動電圧を直接検出することなく、ランプの判別を行えるという利点がある。
【０１１０】
尚、上述した参考例１の放電灯点灯装置や後述する基本構成２６の放電灯点灯装置において、本点灯装置と同様に、蛍光ランプが始動したときのスイッチング素子Ｑ１，Ｑ２のオンデューティを用いて始動電圧を推測し、始動電圧の違いから蛍光ランプの種類を判別するようにしても良い。
【０１１１】
（基本構成１２）
基本構成１２の放電灯点灯装置の回路ブロック図を図２２に示す。上述した基本構成３ではランプ電流検出回路５とランプ電圧検出回路８の検出結果を用いてランプ電力を求め、ランプ電力の違いから接続された蛍光ランプの種類を判別しているのに対して、本点灯装置ではランプ電流検出回路５及びランプ電圧検出回路８の代わりに入力電流を検出する入力電流検出回路１２を設け、入力電流の検出値を用いて蛍光ランプの種類を判別している。尚、入力電流検出回路１２以外の構成は基本構成３と同様であるので、同一の構成要素には同一の符号を付して、その説明は省略する。
【０１１２】
本回路は、１灯のＦＨＤランプＦＬ１、又は、複数灯（例えば２灯）のＦＨＣランプＦＬ２ａ，ＦＬ２ｂの直列回路の何れかを放電灯負荷として点灯させるためのものであるが、ＦＨＤランプＦＬ１を１本接続した場合はフィラメントの数が２個、ＦＨＣランプＦＬ２ａ，ＦＬ２ｂを２本接続した場合はフィラメントの数が４個となる。蛍光ランプのフィラメントでは常時予熱電流などで損失を生じるが、ＦＨＤランプＦＬ１を１本接続した場合とＦＨＣランプＦＬ２ａ，ＦＬ２ｂを２本接続した場合とではフィラメントの数が異なるため、ＦＨＣランプＦＬ２ａ，ＦＬ２ｂを２本接続した場合の方が損失が大きくなり、特に先行予熱時には損失の差が顕著になる。
【０１１３】
そこで、本点灯装置では入力電流検出回路１２を用いて先行予熱時の入力電流を検出し、検出結果をランプ判別回路６に出力する。ランプ判別回路６では、入力電流の検出結果と所定の判別値との高低を比較し、入力電流が判別値以上であれば（すなわちフィラメントによる損失が小さければ）、ＦＨＤランプが１本接続されていると判断し、入力電流が判別値以下であれば（すなわちフィラメントによる損失が大きければ）、ＦＨＣランプが２本接続されていると判断する。そして、制御回路７では、ランプ判別回路６の判別結果に基づいて、接続されている蛍光ランプの種類に応じたランプ電流が供給されるよう、高周波電力変換回路４の出力を変化させており、１つの点灯回路でＦＨＤランプと、ＦＨＣランプの両方を点灯させることができる。
【０１１４】
尚、本点灯装置では先行予熱時の入力電流を検出することで、フィラメントによる損失の違いを検出しているが、フィラメントによる損失の違いを検出できるのであれば、他の電気量（例えば入力電力など）を検出するようにしても良いことは言うまでもない。
【０１１５】
（基本構成１３）
基本構成１３の放電灯点灯装置の回路構成は基本構成１と略同様であるので、同一の構成要素には同一の符合を付して、図示及び説明は省略する。
【０１１６】
この放電灯点灯装置は、１灯のＦＨＤランプＦＬ１、又は、複数灯（例えば２灯）のＦＨＣランプＦＬ２ａ，ＦＬ２ｂの直列  回路の何れかを放電灯負荷として点灯させるためのものであり、放電灯負荷として１灯のＦＨＤランプＦＬ１からなる負荷回路Ａ１を用いた場合の始動・点灯時におけるランプ電圧の波形図を図１７（ａ）に、放電灯負荷として直列接続された２灯のＦＨＣランプＦＬ２ａ，ＦＬ２ｂからなる負荷回路Ａ２を用いた場合の始動・点灯時におけるランプ電圧の波形図を図１７（ｂ）に示す。
【０１１７】
放電灯負荷として、２灯のＦＨＣランプＦＬ２ａ，ＦＬ２ｂからなる負荷回路Ａ２を用いた場合は、２灯の蛍光ランプＦＬ２ａ，ＦＬ２ｂで始動電圧が異なるため、何れか一方が先に始動し、その後もう一方が始動することになり、負荷回路Ａ２に印加される電圧（ランプ電圧）は段階的に２度変化する。而して、本点灯装置では図示しないランプ電圧検出回路により始動時のランプ電圧（始動電圧）を検出して、検出結果をランプ判別回路６に出力し、ランプ判別回路６が始動電圧の電圧値や始動電圧の変化する回数から蛍光ランプの本数及び種類を判別している。そして、制御回路７では、ランプ判別回路６の判別結果に基づいて、接続されている蛍光ランプの種類に応じたランプ電流が供給されるよう、高周波電力変換回路４の出力を変化させており、１つの点灯回路でＦＨＤランプと、ＦＨＣランプの両方を点灯させることができる。
【０１１８】
また制御回路７では、ランプ判別後、高周波電力変換回路４の動作周波数およびオンデューティを、それぞれの蛍光ランプが安定に点灯するような値に設定し、各蛍光ランプに合わせた調光点灯範囲を設定しているので、全点灯時および調光点灯時にそれぞれの蛍光ランプを安定に動作させることができる。
【０１１９】
（基本構成１４）
基本構成１４の放電灯点灯装置の回路ブロック図を図２３に示す。上述した基本構成１ではランプ電流検出回路５の検出結果を用いて、接続された蛍光ランプの種類を判別しているのに対して、本点灯装置では出力端子ａ１，ａ２間および出力端子間ｂ１，ｂ２間のフィラメントｆ１，ｆ４の有無を検出するフィラメント検出回路１３ａと、出力端子ｃ１，ｃ２間のフィラメントｆ２，ｆ３の有無を検出するフィラメント検出回路１３ｂとを設け、両フィラメント検出回路１３ａ，１３ｂの検出結果から接続された蛍光ランプの種類を判別している。尚、フィラメント検出回路１３ａ，１３ｂ以外の構成は基本構成３と同様であるので、同一の構成要素には同一の符号を付して、その説明は省略する。
【０１２０】
本回路は、１灯のＦＨＤランプＦＬ１、又は、複数灯（例えば２灯）のＦＨＣランプＦＬ２ａ，ＦＬ２ｂの直列回路の何れかを放電灯負荷として点灯させるためのものであるが、ＦＨＤランプＦＬ１を１本接続した場合は出力端子ｃ１，ｃ２間にフィラメントは存在しない。而して、ランプ判別回路６では、フィラメント検出回路１３ａ，１３ｂの検出結果から、フィラメントｆ２，ｆ３が存在すれば蛍光ランプが２灯、存在しなければ１灯であると判断し、蛍光ランプの灯数から接続された蛍光ランプの種類を判別することができる。そして、制御回路７では、ランプ判別回路６の判別結果に基づいて、接続されている蛍光ランプの種類に応じたランプ電流が供給されるよう、高周波電力変換回路４の出力を変化させており、１つの点灯回路でＦＨＤランプと、ＦＨＣランプの両方を点灯させることができる。
【０１２１】
尚、フィラメント検出回路１３ａ，１３ｂの検出結果から、ＦＨＣランプＦＬ２ａ，ＦＬ２ｂが２本直列接続されている状態で、フィラメントｆ２，ｆ３の内の一方に異常が発生したと判断された場合は、制御回路７が高周波電力変換回路４の出力を調整することによって、フィラメントに異常が発生した方の蛍光ランプを外した状態で残りの蛍光ランプを点灯させることもできる。
【０１２２】
（基本構成１５）
基本構成１５の放電灯点灯装置の回路ブロック図を図２４及び図２５にそれぞれ示す。上述した基本構成３では、ランプ電流とランプ電圧の検出結果からランプ電力を求めて、ランプ電力の違いから蛍光ランプの種類を判別しているのに対して、本点灯装置では、コネクタＣＮ３ａ，ＣＮ３ｂに蛍光ランプが接続されているか否かを検出するランプ検出回路１４を設け、ランプ検出回路１４の検出結果から蛍光ランプの種類を判別している。尚、ランプ検出回路１４以外の構成は基本構成３と同様であるので、同一の構成要素には同一の符号を付して、その説明は省略する。
【０１２３】
ここで、コネクタＣＮ３ａの一方の端子ｃ１と、コネクタＣＮ３ｂの一方の端子ｃ２とは予熱回路４ａの出力端にそれぞれ接続されており、上述したランプ検出回路１４は、端子ｃ２と回路のグランドとの間に接続された抵抗Ｒ１，Ｒ２の直列回路で構成され、抵抗Ｒ１，Ｒ２の接続点の電圧をランプ判別回路６に出力している。
【０１２４】
図２５に示すようにＦＨＣランプＦＬ２ａ，ＦＬ２ｂが２灯直列接続された場合、フィラメントに印加される電圧はそれぞれのランプ電圧に比べて非常に小さいので、端子ｃ２の電圧Ｖａは高周波電力変換回路４の出力電圧を蛍光ランプＦＬ２ａ，ＦＬ２ｂで分圧した電圧となり、この電圧をさらに抵抗Ｒ１，Ｒ２で分圧した電圧がランプ判別回路６に出力される。
【０１２５】
一方、図２４に示すようにＦＨＤランプが１灯接続された場合には、コネクタＣＮ３ａ，ＣＮ３ｂには蛍光ランプが接続されておらず、端子ｃ２は開放状態となるので、抵抗Ｒ１，Ｒ２によって電圧Ｖａはプルダウンされ、抵抗Ｒ１，Ｒ２の接続点の電圧は略０となる。
【０１２６】
したがって、ランプ判別回路６では、ランプ検出回路１４から入力された電圧の違いから、コネクタＣＮ３ａ，ＣＮ３ｂに蛍光ランプが接続されているか否かを判別でき、ＦＨＤランプが１灯接続されているか、或いは、ＦＨＣランプが２灯直列接続されているかを判別できる。そして、制御回路７では、ランプ判別回路６の判別結果に基づいて、接続されている蛍光ランプの種類に応じたランプ電流が供給されるよう、高周波電力変換回路４の出力を変化させており、１つの点灯回路でＦＨＤランプと、ＦＨＣランプの両方を点灯させることができる。
【０１２７】
（実施形態１）
本実施形態の放電灯点灯装置の一部省略せる回路ブロック図を図２６に示す。上述した基本構成１では、ランプ電流の違いから蛍光ランプの種類を判別しているのに対して、本点灯装置では、２灯の蛍光ランプが備える各一対のフィラメントの断線をそれぞれ検出する断線検出回路１５ａ〜１５ｄを設け、断線検出回路１５ａ〜１５ｄの検出結果を用いて蛍光ランプの種類を判別している。尚、断線検出回路１５ａ〜１５ｄ以外の構成は基本構成１と同様であるので、同一の構成要素には同一の符号を付して、図示及び説明は省略する。
【０１２８】
断線検出回路１５ａ〜１５ｄは、図２７に示すように、フィラメントの両端間に接続された直流電源Ｅと抵抗Ｒ３との直列回路からなり、抵抗Ｒ３の両端電圧をランプ判別回路６に出力する。而して、フィラメントが接続されていれば、抵抗Ｒ３の両端電圧はハイレベル（Ｈ）になり、フィラメントが接続されていなかったり、断線していれば、抵抗Ｒ３の両端電圧はローレベル（Ｌ）になる。
【０１２９】
ここで、各蛍光ランプの装着状態およびそのフィラメントの状態と、断線検出回路１５ａ〜１５ｄの検出電圧Ｖａ〜Ｖｄとの関係を表３に示す。
【０１３０】
【表３】
0004120211.tif 000004
この表３より、検出電圧Ｖａ〜Ｖｄが全てＨレベルの時にはＦＨＣタイプの２灯の蛍光ランプＦＨＣ１，ＦＨＣ２が正常に点灯していると判断でき、検出電圧Ｖａ，ＶｂがＨレベルで検出電圧Ｖｃ，ＶｄがＬレベルとなるか、又は、検出電圧Ｖａ，ＶｂがＬレベルで検出電圧Ｖｃ，ＶｄがＨレベルとなれば、ＦＨＣランプＦＨＣ１又はＦＨＣ２が１灯だけ正常に点灯していると判断できる。また、検出電圧Ｖａ〜Ｖｄの内、何れか１つの検出電圧のみがＨレベルとなって、残りが全てＬレベルとなれば、フィラメントが断線していると判断でき、出力を停止又は低下させるような保護モードに移行させる。
【０１３１】
また、検出電圧Ｖａ，Ｖｂの内の一方がＨレベルで他方がＬレベル、或いは、検出電圧Ｖｃ，Ｖｄの内の一方がＨレベルで他方がＬレベルの時は、検出電圧Ｖａ，ＶｄがＨレベルで検出電圧Ｖｂ，ＶｃがＬレベルの時を除いて、フィラメントが断線していると判断し、保護モードへ移行する。
【０１３２】
そして、検出電圧Ｖａ，ＶｄがＨレベルで検出電圧Ｖｂ，ＶｃがＬレベルとなる場合は、ＦＨＤランプ（ＦＨＤ）が１灯接続されている場合か、又は、ＦＨＣランプ（ＦＨＣ１，ＦＨＣ２）が２灯直列接続されている状態でＢ部とＣ部のフィラメントが断線している場合の何れかであるので、この場合は一旦全点灯させてＡ−Ｄ間のランプ電圧を図示しないランプ電圧検出回路で検出し、何れの場合であるかを判断する。例えば、定格ランプ電力が１００ＷのＦＨＤランプからなる負荷回路と、定格ランプ電力が４１Ｗと３４Ｗの蛍光ランプを２灯直列接続した負荷回路の何れかが接続されて使用される場合、全点灯時のランプ電圧が２４６Ｖ以上であれば、ＦＨＣランプが接続されている状態でフィラメントが断線したものと判断でき、保護モードへ移行する。
【０１３３】
このように本点灯装置では、ランプ判別回路６が各断線検出回路１５ａ〜１５ｄの検出結果とランプ電圧検出回路の検出結果とを用いて蛍光ランプの種類や本数を判別しており、その判別結果に応じて制御回路７が高周波電力変換回路４の出力を制御しているので、１つの点灯回路でＦＨＤランプと、ＦＨＣランプの両方を点灯させることができる。
【０１３４】
（実施形態２）
本実施形態の放電灯点灯装置の回路ブロック図を図２８（ａ）（ｂ）に示す。本回路は、上述した実施形態１又は各基本構成の高周波電力変換回路４をハーフブリッジ形のインバータ回路で構成した具体回路であり、図２８（ａ）は高周波電力変換回路４の出力端子間にＦＨＤランプＦＬ１を１灯接続した場合を、図２８（ｂ）はＦＨＣランプＦＬ２ａ，ＦＬ２ｂを２灯直列接続した場合をそれぞれ示している。尚、高周波電力変換回路４以外の構成は上述した実施形態１又は各基本構成と同様であるので、図示および説明は省略する。また、図２８（ａ）（ｂ）ではランプ判別回路６及び制御回路７を省略して図示してあり、整流回路２および入力歪改善回路３を直流電源Ｅとして図示してある。
【０１３５】
高周波電力変換回路４はハーフブリッジ形のインバータ回路からなり、直流電源Ｅの両端間に接続されたスイッチング素子Ｑ１，Ｑ２（第１及び第２のスイッチング手段）の直列回路と、スイッチング素子Ｑ１，Ｑ２の接続点に直流カット用のコンデンサＣ１０を介して一端が接続されたインダクタＬ１と、スイッチング素子Ｑ２の両端間にインダクタＬ１を介して接続されたコンデンサＣ１１（第１のコンデンサ）とで構成される。ここで、スイッチング素子Ｑ１，Ｑ２として電界効果トランジスタ（以下、ＭＯＳＦＥＴ）を用いており、ＭＯＳＦＥＴの寄生ダイオードから各スイッチング手段に逆並列接続された整流手段が構成される。なお、ハーフブリッジ形のインバータ回路は、従来周知の回路であるので、その動作については説明を省略する。
【０１３６】
高周波電力変換回路４では、インダクタＬ１及びコンデンサＣ１１の接続点がコネクタＣＮ１の端子ａ１（第１のランプ接続端子）に接続され、コンデンサＣ１１の他端がコネクタＣＮ２の端子ｂ１（第２のランプ接続端子）に接続れる。また、インダクタＬ１及びコンデンサＣ１１の接続点はシーケンスコンデンサＣ１（第２のコンデンサ）を介してコネクタＣＮ３ａ，ＣＮ３ｂの端子ｃ３，ｃ４（第３及び第４のランプ接続端子）に接続される。ここで、放電灯負荷として１灯のＦＨＤランプＦＬ１を使用する場合は、コネクタＣＮ１，ＣＮ２の端子ａ１，ｂ１間に蛍光ランプＦＬ１が接続される。また、放電灯負荷として直列接続された２灯のＦＨＣランプＦＬ２ａ，ＦＬ２ｂを使用する場合は、コネクタＣＮ１，ＣＮ３ａの端子ａ１，ｃ３間に一方の蛍光ランプＦＬ２ａを接続するとともに、コネクタＣＮ３ｂ，ＣＮ２の端子ｃ４，ｂ１間に他方の蛍光ランプＦＬ２ｂを接続する。
【０１３７】
（実施形態３）
本実施形態の放電灯点灯装置の回路ブロック図を図２９（ａ）（ｂ）に示す。本回路は、上述した実施形態１、２又は各基本構成の高周波電力変換回路４をフルブリッジ形のインバータ回路で構成した具体回路であり、図２９（ａ）は高周波電力変換回路４の出力端子間にＦＨＤランプＦＬ１を１灯接続した場合を、図２９（ｂ）はＦＨＣランプＦＬ２ａ，ＦＬ２ｂを２灯直列接続した場合をそれぞれ示している。尚、高周波電力変換回路４以外の構成は上述した実施形態１、２又は各基本構成と同様であるので、図示および説明は省略する。また、図２９（ａ）（ｂ）ではランプ判別回路６及び制御回路７を省略して図示してあり、整流回路２および入力歪改善回路３を直流電源Ｅとして図示してある。
【０１３８】
高周波電力変換回路４はフルブリッジ形のインバータ回路からなり、直流電源Ｅの両端間にそれぞれ接続されたスイッチング素子Ｑ１，Ｑ２（第１及び第２のスイッチング手段）の直列回路、スイッチング素子Ｑ３，Ｑ４（第３及び第４のスイッチング手段）の直列回路と、スイッチング素子Ｑ２の両端間に接続されたインダクタＬ１１（第１のインダクタ）及びコンデンサＣ１１（第１のコンデンサ）の直列回路と、スイッチング素子Ｑ４の両端間に接続されたインダクタＬ１２（第２のインダクタ）及びコンデンサＣ１２（第２のコンデンサ）の直列回路とで構成される。
【０１３９】
そして、インダクタＬ１１及びコンデンサＣ１１の接続点をコネクタＣＮ１の端子ａ１（第１のランプ接続端子）に接続するとともに、インダクタＬ１２及びコンデンサＣ１２の接続点をコネクタＣＮ２の端子ｂ１（第２のランプ接続端子）に接続し、さらに直流電源Ｅの負極側の出力端子をコネクタＣＮ３ａ，ＣＮ３ｂの端子ｃ３，ｃ４（第３及び第４のランプ接続端子）にそれぞれ接続している。
【０１４０】
放電灯負荷として１灯のＦＨＤランプＦＬ１を使用する場合は、図２９（ａ）に示すように、コネクタＣＮ１，ＣＮ２の端子ａ１，ｂ１間に蛍光ランプＦＬ１を接続し、高周波電力変換回路４をフルブリッジ形のインバータ回路として動作させる。
【０１４１】
一方、放電灯負荷として直列接続された２灯のＦＨＣランプＦＬ２ａ，ＦＬ２ｂを使用する場合は、コネクタＣＮ１，ＣＮ３ａの端子ａ１，ｃ３間に蛍光ランプＦＬ２ａを接続するとともに、コネクタＣＮ３ｂ，ＣＮ２の端子ｂ１，ｃ４間に蛍光ランプＦＬ２ｂを接続する。この時、高周波電力変換回路４はハーフブリッジ形のインバータ回路が２つ並列に接続されたような回路構成となる。
【０１４２】
ここで、高周波電力変換回路４をフルブリッジ形のインバータ回路として動作させた場合は、ハーフブリッジ形のインバータ回路として動作させた場合に比べて、等価的に電源電圧を２倍とすることができ、比較的ランプ電圧の高いＦＨＤランプを１灯点灯させる場合にフルブリッジ形のインバータ回路として動作させれば、各素子に流れる電流を低減することができる。なお、ハーフブリッジ形およびフルブリッジ形のインバータ回路は共に従来周知の回路であるので、その動作については説明を省略する。
【０１４３】
（基本構成１６）
基本構成１６の放電灯点灯装置を図３０を参照して説明する。尚、本構成の放電灯点灯装置の回路構成は基本構成１と同様であるので、図示及び説明は省略する。
【０１４４】
本点灯装置も、基本構成１と同様、放電灯負荷として１灯のＦＨＤランプ、又は、２灯のＦＨＣランプの直列回路の何れかを用いることができる。すなわち、ランプ判別回路６がランプの種類を判別して判別結果を制御回路７に出力しており、制御回路７では接続された蛍光ランプに応じて出力電力を制御することによって、１台の点灯装置で異なる種類の蛍光ランプを安定に点灯させている。なお、ＦＨＤランプとＦＨＣランプの組合せとしては基本構成１と同様に種々の組合せがあり、例えば定格ランプ電力が１００ＷのＦＨＤランプ（ランプ電流ＩＬａ＝４３０ｍＡ）には、定格ランプ電力が４１Ｗと３４ＷのＦＨＣランプ（ランプ電流ＩＬａ＝３８０ｍＡ）の直列回路を対応させている。
【０１４５】
放電開始後、制御回路７はランプ電流を約３８０ｍＡに設定して蛍光ランプを点灯させ、点灯中に蛍光ランプの種類を判別する。尚、蛍光ランプの判別方法としては種々の方法があるが、本点灯装置では例えばランプ電流の違いからランプの種類を検出する方法を用いている。
【０１４６】
そして、制御回路７では、ランプ判別回路６の判別結果に基づいて、ＦＨＣランプが接続されていれば、ランプ電流を約３８０ｍＡに制御し、ＦＨＤランプが接続されていれば、ランプ電流を約４３０ｍＡに制御している。このように、本点灯装置では接続可能な蛍光ランプの定格ランプ電流の最小値で蛍光ランプを点灯させた状態で、蛍光ランプの判別動作を行っているので、何れの種類の蛍光ランプが接続されたとしても、蛍光ランプに定格を超える過電流が流れることはなく、したがって、過度のエミッタ飛散を防止してランプの長寿命化を図ることができる。
【０１４７】
尚、上述した参考例１の放電灯点灯装置や後述する基本構成２６の放電灯点灯装置において、本点灯装置と同様に、接続可能な蛍光ランプの定格ランプ電流の最小値で蛍光ランプを点灯させた状態で、蛍光ランプの判別動作を行うようにしても良いことは言うまでもない。
【０１４８】
（基本構成１７）
基本構成１７の放電灯点灯装置の回路構成は基本構成１と同様であるので、図示及び説明は省略する。
【０１４９】
上述した基本構成１では接続された蛍光ランプの種類を判別し、その種類に応じて出力を変化させているが、本点灯装置ではＦＨＤランプを用いた場合の全点灯時のランプ電流を、ＦＨＣランプを用いた場合の高出力点灯時のランプ電流に合わせている。すなわち、ＦＨＤランプの定格出力のランプ電流は４３０ｍＡであり、ＦＨＣランプの高出力時のランプ電流（＝３８０ｍＡ）よりも大きくなっているので、比較的電流値の小さいＦＨＣランプの高出力点灯時におけるランプ電流に、ＦＨＤランプの全点灯時におけるランプ電流を設定することによって、蛍光ランプの種類を判別する回路や、蛍光ランプの種類に応じて出力を変化させる回路を省くことができ、回路の簡略化が図れる。
【０１５０】
尚、上述した参考例１の放電灯点灯装置や後述する基本構成２６の放電灯点灯装置において、本点灯装置と同様に、比較的電流値の小さいＦＨＣランプの高出力点灯時におけるランプ電流に、ＦＨＤランプの全点灯時におけるランプ電流を設定するようにしても良い。
【０１５１】
（基本構成１８）
基本構成１８の放電灯点灯装置を図３１を参照して説明する。尚、本点灯装置の回路構成は基本構成１の回路と同様であるので、図示及び説明は省略する。
【０１５２】
本点灯装置も、基本構成１と同様、放電灯負荷としてＦＨＤランプ、或いは、ＦＨＣランプの何れかを用いることができる。すなわち、ランプ判別回路６がランプの種類を判別して判別結果を制御回路７に出力しており、制御回路７では接続された蛍光ランプに応じて出力電力を制御することによって、１台の点灯装置で異なる種類の蛍光ランプを安定に点灯させている。なお、ＦＨＤランプとＦＨＣランプの組合せとしては基本構成１と同様に種々の組合せがあり、例えば定格ランプ電力が１００ＷのＦＨＤランプ（ランプ電流ＩＬａ＝４３０ｍＡ）には、定格ランプ電力が４１Ｗと３４ＷのＦＨＣランプ（ランプ電流ＩＬａ＝３８０ｍＡ）の直列回路を対応させている。
【０１５３】
放電開始後の判別期間Ｔ２では、制御回路７はランプ電流を調光下限（調光レベルが最も暗い時）の値に設定して蛍光ランプを点灯させ、点灯中に蛍光ランプの種類を判別する。尚、蛍光ランプの判別方法としては種々の方法があるが、本点灯装置では例えばランプ電流の違いからランプの種類を検出する方法を用いている。
【０１５４】
そして、判別後の点灯期間Ｔ４では、調光手段たる制御回路７が、ランプ判別回路６の判別結果に基づいてランプ電流の上限値Ｉｍａｘを設定しており、例えばＦＨＣランプが接続されていれば、ランプ電流の上限値を３８０ｍＡに設定して、調光下限と上限との間で蛍光ランプを点灯させる。一方、ＦＨＤランプが接続されていれば、制御回路７はランプ電流の上限値を４３０ｍＡに設定して、調光下限と上限との間で蛍光ランプを点灯させる。
【０１５５】
なお、本点灯装置では、調光下限の電流値で蛍光ランプを点灯させた状態で蛍光ランプの種類を判別しているが、装着可能な複数の蛍光ランプの定格電流の内の最小値よりも小さい電流値であれば、調光下限以上の電流値で点灯させた状態でランプの判別を行うようにしても良い。
【０１５６】
また、上述した参考例１の放電灯点灯装置や後述する基本構成２６の放電灯点灯装置において、本点灯装置と同様に、装着可能な複数の蛍光ランプの定格電流の内の最小値よりも小さい電流値で蛍光ランプを点灯させた状態で蛍光ランプの種類を判別し、判別された蛍光ランプの種類によって決まるランプ電圧の最大値（調光上限）と調光下限との間で放電ランプを調光するようにしても良い。
【０１５７】
（基本構成１９）
基本構成１９の放電灯点灯装置の一部省略せる回路ブロック図を図３２（ａ）（ｂ）にそれぞれ示す。ここで、図３２（ａ）は高周波電力変換回路４の出力端子間にＦＨＤランプＦＬ１を１灯接続した場合を示し、図３２（ｂ）はＦＨＣランプＦＬ２ａ，ＦＬ２ｂを２灯直列接続した場合を示している。尚、本点灯装置の回路構成は基本構成１と同様であり、図３２（ａ）（ｂ）では図示を簡単にするため高周波電力変換回路４の出力部分のみを図示してある。
【０１５８】
ところで、蛍光ランプＦＬ１と、直列接続された２灯の蛍光ランプＦＬ２ａ，ＦＬ２ｂとではランプインピーダンスが異なっているので、蛍光ランプを含むＬＣ共振回路の共振定数（共振周波数など）が変化して、負荷回路に供給される出力が変化する虞がある。
【０１５９】
そこで、本点灯装置では２灯の蛍光ランプＦＬ２ａ，ＦＬ２ｂを接続する際に、ＦＨＤランプとＦＨＣランプとのランプインピーダンスの違いを補正するインピーダンス素子Ｚを蛍光ランプＦＬ２ａ，ＦＬ２ｂと直列に接続しており、蛍光ランプを含むＬＣ共振回路の共振定数を同じにしているので、負荷回路に所望の出力を供給することができる。
【０１６０】
尚、上述した参考例１の放電灯点灯装置や後述する基本構成２６の放電灯点灯装置において、本点灯装置と同様に、ＦＨＤランプとＦＨＣランプとのランプインピーダンスの違いを補正するインピーダンス素子Ｚを設けても良い。
【０１６１】
（基本構成２０）
基本構成２０の放電灯点灯装置の一部省略せる回路ブロック図を図３３に示す。本回路は、基本構成１の放電灯点灯装置において、高周波電力変換回路４をハーフブリッジ形のインバータ回路で構成した具体回路図である。尚、放電灯点灯装置の構成は基本構成１と同様であるので、同一の構成要素には同一の符合を付して、その説明は省略する。
【０１６２】
高周波電力変換回路４は、整流回路２の脈流電圧を平滑する平滑コンデンサＣ０の両端間に接続されたスイッチング素子Ｑ１，Ｑ２の直列回路と、スイッチング素子Ｑ２の両端間にインダクタＬ３，Ｌ４の直列回路を介して接続されたコンデンサＣ４と、コンデンサＣ４の両端間にスイッチＳ２を介して接続されたコンデンサＣ５と、インダクタＬ４の両端間に接続されたスイッチＳ１とで構成され、コンデンサＣ４の両端間に１灯のＦＨＤランプＦＬ１、又は、２灯のＦＨＣランプＦＬ２ａ，ＦＬ２ｂの直列回路の何れかが接続される。
【０１６３】
ところで、ＦＨＤランプＦＬ１と、直列接続された２灯のＦＨＣランプＦＬ２ａ，ＦＬ２ｂとではランプインピーダンスが異なっているので、ＦＨＤランプＦＬ１が接続された場合と、ＦＨＣランプが接続された場合とでは蛍光ランプを含む共振回路の共振定数（共振周波数など）が変化して、負荷回路に供給される出力が変化する虞がある。
【０１６４】
そこで、本点灯装置では制御回路７が、ランプ判別回路６の判別結果に基づいてスイッチＳ１，Ｓ２をオン又はオフさせることによって、共振回路の共振定数を各蛍光ランプのランプインピーダンスに応じて変化させており、ランプインピーダンスの違いに関係なく負荷回路に所望の出力を供給することができる。
【０１６５】
尚、上述した参考例１の放電灯点灯装置や後述する基本構成２６の放電灯点灯装置に本点灯装置の構成を適用しても良く、同様の効果を得ることができる。
【０１６６】
（基本構成２１）
本発明の基本構成２１を図３４（ａ）（ｂ）を参照して説明する。尚、放電灯点灯装置の回路構成は基本構成１と同様であるので、図示および説明は省略する。
【０１６７】
本点灯装置も、基本構成１と同様、放電灯負荷として、１灯のＦＨＤランプＦＬ１からなる負荷回路Ａ１、又は、直列接続された２灯のＦＨＣランプＦＬ２ａ，ＦＬ２ｂからなる負荷回路Ａ２の何れかを使用するのであるが、負荷回路Ａ１，Ａ２の内、合計のランプ電圧が低い方の負荷回路Ａ２において、蛍光ランプＦＬ２ａ，ＦＬ２ｂと直列にインピーダンス素子としてのコンデンサＣ６を接続している。このように、コンデンサＣ６を付加することによって、共振定数を略同じにし、蛍光ランプの種類の違いによるランプインピーダンスの差を吸収することができ、蛍光ランプに所望の出力を供給することができる。
【０１６８】
尚、本点灯装置では蛍光ランプの種類に応じて共振回路の定数を切り換えているが、共振回路の共振周波数の設定を、共用する蛍光ランプに応じた共振周波数の略中間の周波数に設定するようにしても良く、何れの蛍光ランプの共振周波数からも近い周波数に設定することによって、上述と同様の効果を得ることができる。
【０１６９】
（基本構成２２）
基本構成２２の放電灯点灯装置の一部省略せる回路ブロック図を図３５及び図３６にそれぞれ示す。尚、本点灯装置の回路構成は基本構成１と同様であり、図３５及び図３６では図示を簡単にするため高周波電力変換回路４の出力部分のみを図示してある。
【０１７０】
本点灯装置も、基本構成１と同様、放電灯負荷として、１灯のＦＨＤランプＦＬ１からなる負荷回路Ａ１、又は、直列接続された２灯のＦＨＣランプＦＬ２ａ，ＦＬ２ｂからなる負荷回路Ａ２の何れかを使用するのであるが、１灯のＦＨＤランプＦＬ１と、直列接続された２灯のＦＨＣランプＦＬ２ａ，ＦＬ２ｂとではランプインピーダンスが異なっているので、蛍光ランプを含む共振回路の共振定数（共振周波数など）が変化して、負荷回路に供給される出力が変化する虞がある。
【０１７１】
そこで、本点灯装置ではＦＨＤランプＦＬ１の装着時、又は、ＦＨＣランプＦＬ２ａ，ＦＬ２ｂの装着時に共振特性がそれぞれのランプ特性に自動的に一致するように回路を構成している。
【０１７２】
ここで、蛍光ランプと並列に接続されるコンデンサの静電容量の最適値は、高周波電力変換回路４の動作周波数が同じであればランプ電圧に反比例するので、ＦＨＤランプのランプ電圧ＶＬａが、ＦＨＣランプＦＬ２ａ，ＦＬ２ｂのランプ電圧ＶＬａよりも小さい場合と、ＦＨＤランプのランプ電圧ＶＬａが、ＦＨＣランプＦＬ２ａ，ＦＬ２ｂのランプ電圧ＶＬａよりも大きい場合とで別々の回路構成としている。
【０１７３】
図３５に示す回路は、ＦＨＤランプのランプ電圧ＶＬａが、ＦＨＣランプＦＬ２ａ，ＦＬ２ｂのランプ電圧ＶＬａよりも小さい場合の回路であり、高周波電力変換回路４の出力端子ａ１，ｂ１間にコンデンサＣ２１〜Ｃ２３の直列回路を接続するとともに、コンデンサＣ２１，Ｃ２２の接続点を出力端子ｃ３に、コンデンサＣ２２，Ｃ２３の接続点を出力端子ｃ４にそれぞれ接続している。
【０１７４】
ＦＨＤランプのランプ電圧ＶＬａが、ＦＨＣランプＦＬ２ａ，ＦＬ２ｂのランプ電圧ＶＬａよりも小さい場合、ＦＨＤランプＦＬ１に並列接続されるコンデンサの静電容量が、ＦＨＣランプＦＬ２ａ，ＦＬ２ｂに並列接続されるコンデンサの静電容量も大きくなるので、図３５に示す回路において、蛍光ランプＦＬ１の両端間に接続されるコンデンサＣ２１〜Ｃ２３の合成容量を蛍光ランプＦＬ１に対して最適となるように各コンデンサＣ２１，Ｃ２２，Ｃ２３の定数を設定する。また、この回路で蛍光ランプＦＬ２ａ，ＦＬ２ｂを使用する場合は、コンデンサＣ２３が蛍光ランプＦＬ２ａ，ＦＬ２ｂのフィラメントで短絡されるから、コンデンサＣ２１，Ｃ２３のみが直列に接続されることになり、コンデンサＣ２１，Ｃ２３の静電容量を蛍光ランプＦＬ２ａ，ＦＬ２ｂに対して最適となるように設定すれば良い。
【０１７５】
一方、図３６に示す回路は、ＦＨＤランプのランプ電圧ＶＬａが、ＦＨＣランプＦＬ２ａ，ＦＬ２ｂのランプ電圧ＶＬａよりも大きい場合の回路であり、出力端子ａ１，ｂ１間にコンデンサＣ２１，Ｃ２２の直列回路を接続し、コンデンサＣ２１，Ｃ２２の接続点を出力端子ｃ３，ｃ４にそれぞれ接続している。また、蛍光ランプＦＬ２ａ，ＦＬ２ｂを装着した際に、蛍光ランプＦＬ２ａ，ＦＬ２ｂのフィラメントを介してコンデンサＣ２４，Ｃ２５が蛍光ランプの両端間に接続されるようにしている。
【０１７６】
ＦＨＤランプのランプ電圧ＶＬａが、ＦＨＣランプＦＬ２ａ，ＦＬ２ｂのランプ電圧ＶＬａよりも大きい場合、ＦＨＤランプＦＬ１に並列接続されるコンデンサの静電容量が、ＦＨＣランプＦＬ２ａ，ＦＬ２ｂに並列接続されるコンデンサの静電容量も小さくなるので、図３６に示す回路において、コンデンサＣ２１，Ｃ２２の静電容量は蛍光ランプＦＬ１に対して最適になるように設定し、コンデンサＣ２１，Ｃ２４の合成容量が蛍光ランプＦＬ２ａに対して最適な値となり、コンデンサＣ２２，Ｃ２５の合成容量が蛍光ランプＦＬ２ｂに対して最適な値となるように、各コンデンサの静電容量を設定する。
【０１７７】
以上説明したように、本点灯装置では蛍光ランプを装着すると、蛍光ランプの種類に応じて蛍光ランプと並列に接続されるコンデンサが自動的に選択されるので、各蛍光ランプに並列接続されるコンデンサの静電容量を各蛍光ランプにあった値に設定することによって、高周波電力変換回路４の出力を変化させることなく、ランプ出力を各蛍光ランプに応じた出力とすることができる。
【０１７８】
尚、上述した参考例１の放電灯点灯装置や後述する基本構成２６の放電灯点灯装置に本実施形態の構成を適用しても良く、同様の効果を得ることができる。
【０１７９】
（基本構成２３）
基本構成２３の放電灯点灯装置の一部省略せる回路図を図３７に示す。本回路は、基本構成１の放電灯点灯装置において、高周波電力変換回路４をハーフブリッジ形のインバータ回路で構成した具体回路図である。尚、放電灯点灯装置の基本構成は基本構成１と同様であるので、同一の構成要素には同一の符合を付して、その説明は省略する。
【０１８０】
高周波電力変換回路４はハーフブリッジ形のインバータ回路であって、直流電源Ｅの両端間に接続されたスイッチング素子Ｑ１，Ｑ２の直列回路と、スイッチング素子Ｑ２の両端間に接続されたインダクタＬ１及びコンデンサＣ１，Ｃ２の直列回路とで構成され、コンデンサＣ１と並列に１灯のＦＨＤランプＦＬ１、又は、２灯のＦＨＣランプＦＬ２ａ，ＦＬ２ｂの直列回路の何れかが接続される。なお、ハーフブリッジ形のインバータ回路は従来周知の回路であるので、その動作については説明を省略する。
【０１８１】
ところで、蛍光ランプＦＬ１と、直列接続された２灯の蛍光ランプＦＬ２ａ，ＦＬ２ｂとではランプインピーダンスが異なっているので、蛍光ランプを含むＬＣ共振回路の共振定数（共振周波数など）が変化して、負荷回路に供給される出力が変化する虞がある。そこで、本点灯装置では制御回路７が、ランプ判別回路６の判別結果に基づいて、スイッチング素子Ｑ１，Ｑ２のオンデューティを制御して、蛍光ランプの特性の違いを補正している。
【０１８２】
例えば、１灯のＦＨＤランプＦＬ１、又は、２灯のＦＨＣランプＦＬ２ａ，ＦＬ２ｂの直列回路の内、ワット数の大きい方が装着された場合、制御回路７はスイッチング素子Ｑ１，Ｑ２のオンデューティを５０％として出力を増加させ、ワット数の小さい方が装着された場合は、オンデューティをアンバランスにして出力を小さくする。このように、本回路では蛍光ランプの種類に応じてスイッチング素子Ｑ１，Ｑ２のオンデューティを変化させ、高周波電力変換回路４の出力を変化させているので、それぞれの蛍光ランプに応じた最適な条件で点灯させることができる。
【０１８３】
尚、本点灯装置ではそれぞれの蛍光ランプのワット数に応じてスイッチング素子Ｑ１，Ｑ２のオンデューティを変化させているが、蛍光ランプの種類に応じてランプ電圧が異なる場合に、ランプ電圧に応じてスイッチング素子Ｑ１，Ｑ２の動作周波数を変化させるようにしても良く、高周波電力変換回路４の出力を変化させ、それぞれの蛍光ランプに応じた最適な条件で点灯させることができる。
【０１８４】
また、上述した参考例１の放電灯点灯装置や後述する基本構成２６の放電灯点灯装置において、本点灯装置と同様に、接続された蛍光ランプの種類に応じて、スイッチング素子Ｑ１，Ｑ２のオンデューティや動作周波数を変化させるようにしても良く、それぞれの蛍光ランプに応じた最適な条件で点灯させることができる。
【０１８５】
（基本構成２４）
上述した実施形態１〜３および基本構成１〜２３、並びに後述する基本構成２６，２７の放電灯点灯装置を用いる照明器具について図３８（ａ）（ｂ）を参照して説明する。
【０１８６】
この照明器具の器具本体は、例えば天井面に固定され下面側に蛍光ランプ３０，３１が取り付けられる円板状のベース２０と、蛍光ランプ３０，３１を覆うようにしてベース２０の下面に取り付けられるドーム状のセード２１とで構成される。
【０１８７】
ここで、蛍光ランプ３０，３１はベース２０と同心に配置されており、口金部３０ａ，３１ａがセード２１からできるだけ遠ざかるように（すなわち、口金部３０ａ，３１ａをベース２０に近づけるようにして）、ベース２０に対して斜めに傾けた状態で取り付けられている。蛍光ランプ３０，３１の口金部３０ａ，３１ａは光を発しないため、口金部３０ａ，３１ａがセード２１の近傍にあると、口金部３０ａ，３１ａ付近が暗くなって見栄えが悪くなるが、上述のように口金部３０ａ，３１ａがセード２１から遠ざかるよう蛍光ランプ３０，３１を斜めに傾けて取り付けているので、口金部３０ａ，３１ａ付近が暗く見えるのを防止できる。
【０１８８】
また、２灯の蛍光ランプ３０，３１の口金部３０ａ，３１ａを近接して配置した場合、光を発しない部分が固まって配置されるため、セード２１の口金部３０ａ，３１ａ付近が暗く見えるが、本照明器具では各蛍光ランプ３０，３１の口金部３０ａ，３１ａをベース２０の中心に対して対称な位置に配置しているため、光を発しない部分が分散して配置されることになり、口金部３０ａ，３１ａ付近が暗く見えるのを防止できる。
【０１８９】
また、図３９は照明器具のベース２０に３灯の蛍光ランプ３０，３１，３２を同心に配置した場合を示しており、この場合は口金部３０ａ，３１ａ，３２ａを約１２０度おきに配置することによって、光を発しない部分が固まって配置されるのを防止し、セード部分が暗く見えるのを防止している。尚、ｎ本（ｎは２以上の整数）の蛍光ランプを同心に配置する場合は、各蛍光ランプの口金部を（３６０／ｎ）度毎に配置すれば良く、上述と同様、光を発しない部分を分散して配置することによって、口金部付近が暗く見えるのを防止できる。
【０１９０】
ところで、図４０及び図４１は器具本体の内部に管径の異なる２種のランプを収納した状態を示しており、ベース２０の下面にＦＨＤランプＦＬ１と、ＦＨＣランプＦＬ２とを同心に配置している。
【０１９１】
器具本体の内部に管径の異なる２種のランプを収納した場合、特に２種のランプでワット数が近い場合は、一般的に管径の細いランプの方が輝度が高くなる傾向にある。ところで、蛍光ランプを調光していくと、光の質がぼんやりした感じになり、違和感を感じる場合があるが、本照明器具のように管径の異なる２種のランプを器具本体に収納した場合は、調光時に輝度の低い方のランプ（ＦＨＣランプＦＬ２）から調光するようにすれば、ぼんやりした感じを与えることなく調光することができる。
【０１９２】
また、ＦＨＣランプＦＬ２の出力は、ＦＨＤランプＦＬ１よりも低い周囲温度で最高になるので、図４１に示すようにＦＨＣランプＦＬ２をＦＨＤランプＦＬ１の外側に配置し、少しでも周囲温度の低い場所に配置することによって、器具全体の発光効率を高めることができる。
【０１９３】
（基本構成２５）
ところで、上述した実施形態１〜３および基本構成１〜２４、並びに後述する基本構成２６，２７の放電灯点灯装置を照明器具に組み込んで使用する場合、ＦＨＤランプＦＬ１と、ＦＨＣランプＦＬ２ａ，ＦＬ２ｂとでは、ランプの設計が異なっており、前出の表１に示すように、ＦＨＤランプＦＬ１では周囲温度が４０℃の時に最大効率となるのに対して、ＦＨＣランプＦＬ２ａ，ＦＬ２ｂでは周囲温度が３５℃の時に最大効率となっているので、回路素子やランプ自体の発熱によって温度が上昇する器具内部では、ＦＨＤランプＦＬ１の方が光出力が増加する傾向にある。
【０１９４】
そこで、本点灯装置では制御回路７がランプ判別回路６の判別結果に基づいて高周波電力変換回路４の出力を制御することによってランプ電流を変化させており、ＦＨＣランプＦＬ２ａ，ＦＬ２ｂが接続された場合はランプ電流を増加させ、ＦＨＤランプＦＬ１が接続された場合はランプ電流を低下させているので、蛍光ランプの特性の違いによって光出力が変化するのを防止できる。
【０１９５】
（基本構成２６）
基本構成２６の放電灯点灯装置の回路ブロック図を図４２に示す。上述した実施形態１〜３および基本構成１〜２３の放電灯点灯装置では、１灯のＦＨＤランプＦＬ１と、直列接続された２灯のＦＨＣランプＦＬ２ａ，ＦＬ２ｂとで点灯回路を共用しているのに対して、本点灯装置では、放電灯負荷としてＦＨＤランプを複数灯（例えば２灯）直列接続した負荷回路を用い、ＦＨＤランプの複数の組合せで点灯回路を共用している。尚、本点灯装置の回路構成は上述した基本構成５と略同様であり、同一の構成要素には同一の符合を付して、その説明を省略する。
【０１９６】
ＦＨＤランプの電気的特性を表４に、ランプＩ−Ｖ特性を図４３に示す。尚、図４３中の丸付き数字の１は定格ランプ電力が４０Ｗのランプ（ＦＨＤ４０）、丸付き数字の２は定格ランプ電力が７０Ｗのランプ（ＦＨＤ７０）、丸付き数字の３は定格ランプ電力が８０Ｗのランプ（ＦＨＤ８０）、丸付き数字の４は定格ランプ電力が１００Ｗのランプ（ＦＨＤ１００）の特性をそれぞれ示している。
【０１９７】
【表４】
0004120211.tif 000005
ＦＨＤランプの定格ランプ電流は４３０ｍＡであり、ＦＨＤ１００のランプ電圧は２２９Ｖ、ＦＨＤ４０のランプ電圧は９６Ｖ、ＦＨＤ７０のランプ電圧は１６０Ｖとなっている。すなわち、ＦＨＤ１００とＦＨＤ４０を直列接続した負荷回路のランプ電圧（＝３１５Ｖ）は、ＦＨＤ７０を２灯直列接続した負荷回路のランプ電圧（＝３２０Ｖ）と略等しくなるので、ＦＨＤ１００とＦＨＤ４０を直列接続した負荷回路と、ＦＨＤ７０を２灯直列接続した負荷回路とで点灯回路を共用することができる。
【０１９８】
ここで、ランプ電圧検出回路８は、一方もしくは両方の蛍光ランプＦＬ１，ＦＬ２のランプ電圧を検出して、検出結果をランプ判別回路６に出力する。ランプ判別回路６では、ランプ電圧の検出結果から接続された蛍光ランプＦＬ１，ＦＬ２の種類を判別し、その判別結果を制御回路７に出力する。そして、制御回路７が接続された蛍光ランプの種類に応じて高周波電力変換回路４の出力を制御することにより、異なる組合せの蛍光ランプＦＬ１，ＦＬ２が接続されたとしても、蛍光ランプＦＬ１，ＦＬ２を安定に点灯させることができる。このように、複数の蛍光ランプの組合せを１台の点灯回路で点灯させることができるから、複数の蛍光ランプの組合せで点灯回路を共用することができ、異なる蛍光ランプの組合せ毎に専用の点灯装置を用意する場合に比べて、開発、設計、製造などの各工程で総合的に点灯装置のコストダウンを図ることができる。
【０１９９】
尚、本点灯装置ではＦＨＤ１００とＦＨＤ４０を直列接続した組合せと、ＦＨＤ７０を２灯直列接続した組合せを例に説明を行ったが、蛍光ランプの組合せを上記の組合せに限定する趣旨のものではなく、種々の組合せが考えられる。
【０２００】
例えば、ＦＨＤ１００のランプ電圧は２２９Ｖ、ＦＨＤ８０のランプ電圧は１９５Ｖ、ＦＨＤ７０のランプ電圧は１６０Ｖであり、ＦＨＤ１００とＦＨＤ８０を直列接続した負荷回路のランプ電圧（＝４２４Ｖ）は、ＦＨＤ１００とＦＨＤ７０を直列接続した負荷回路のランプ電圧（＝３８９Ｖ）と略等しくなるので、ＦＨＤ１００とＦＨＤ８０を直列接続した負荷回路と、ＦＨＤ１００とＦＨＤ７０を直列接続した負荷回路とで点灯回路を共用することができる。尚、ＦＨＤ７０とＦＨＤ８０とを比較すると、ＦＨＤ８０の方が若干出力が大きいため、ＦＨＤ１００とＦＨＤ７０とを直列接続した負荷回路が接続された場合には、制御回路７により、ＦＨＤ１００とＦＨＤ８０とを直列接続した負荷回路が接続された時の定格点灯動作に比べて若干出力を絞るように制御すれば、ＦＨＤ１００とＦＨＤ７０との直列回路が接続された場合にも安定に点灯させることができる。
【０２０１】
（基本構成２７）
基本構成２７の放電灯点灯装置の回路ブロック図を図４４に示す。上述した基本構成２６の放電灯点灯装置では、放電灯回路としてＦＨＤランプを２灯直列接続した負荷回路を用い、複数の蛍光ランプの組合せで点灯回路を共用するようにしているが、本点灯装置では１灯のＦＨＤランプＦＬ１と、直列接続された２灯のＦＨＤランプＦＬ２ａ，ＦＬ２ｂとで点灯回路を共用している。尚、放電灯点灯装置の基本的な構成は基本構成２６と同様であるので、同一の構成要素には同一の符合を付して、その説明を省略する。また、図４４に示す回路では、高周波電力変換回路４と、ランプ電圧検出回路８と、ランプ判別回路６と、制御回路７とで構成される電力変換部Ｘ１，Ｘ２を２組設けている。
【０２０２】
ＦＨＤランプの特性を前出の表４に、ＦＨＤ４０とＦＨＤ８０のランプＩ−Ｖ特性を図４３にそれぞれ示す。ＦＨＤ８０のランプ電圧は１９５Ｖ、ＦＨＤ４０のランプ電圧は９６Ｖであり、ＦＨＤ８０のランプ電圧は、ＦＨＤ４０を２灯直列接続した負荷回路のランプ電圧（＝１９２Ｖ）と略等しくなるので、ＦＨＤ８０からなる負荷回路と、ＦＨＤ４０を２灯直列接続した負荷回路とで点灯回路を共用することができる。
【０２０３】
ここで、ランプ電圧検出回路８は、少なくとも一灯の蛍光ランプのランプ電圧を検出して、検出結果をランプ判別回路６に出力する。ランプ判別回路６では、ランプ電圧の検出結果から接続された蛍光ランプの種類を判別し、その判別結果を制御回路７に出力する。そして、制御回路７が接続された蛍光ランプの種類に応じて高周波電力変換回路４の出力を制御することにより、異なる組合せの蛍光ランプが接続されたとしても、蛍光ランプを安定に点灯させることができる。このように、１灯のＦＨＤランプと、２灯の直列接続されたＦＨＤランプとで点灯回路を共用しているので、異なる蛍光ランプの組合せ毎に専用の点灯装置を用意する場合に比べて、開発、設計、製造などの各工程で総合的に点灯装置のコストダウンを図ることができる。
【０２０４】
【発明の効果】
上述のように、請求項１の発明は、交流電源の電源電圧を直流電圧に変換する直流電源部と、直流電源部の直流電圧をスイッチング手段でスイッチングすることによって高周波の交流電圧に変換するインバータ回路部と、インバータ回路部からの電力供給を受けて点灯する放電灯負荷と、を備えた放電灯点灯装置において、放電灯負荷として、ある種類の１灯の放電ランプ、又は、別の種類の放電ランプを複数灯直列接続した直列回路の何れかが選択的に用いられ、活動量測定システム放電灯は熱陰極型の蛍光ランプであって、接続された放電ランプの種類を判別する判別回路部と、判別回路部の判別結果をもとに接続された放電灯負荷に応じて供給する電力を制御する制御回路部と、接続される蛍光ランプの各一対のフィラメントの断線をそれぞれ検出する複数のフィラメント検出手段と、点灯時のランプ電圧を検出するランプ電圧検出手段とを設け、活動量測定システム判別回路部は、各フィラメント検出手段の検出結果の組合せと、ランプ電圧検出手段の検出値とを用いて、接続された蛍光ランプの灯数を判別することを特徴とし、異なる種類の放電ランプで１台の点灯装置を共用することによって、放電ランプの種類毎に専用の点灯装置を用意する場合に比べて、開発、設計、製造などの各工程で総合的に点灯装置のコストダウンを図ることができる。さらにフィラメント検出手段の検出結果からフィラメントの数を判断して蛍光ランプの灯数を判別して、接続された蛍光ランプの種類を判別できるという効果がある。
【０２０５】
請求項２の発明は、交流電源の電源電圧を直流電圧に変換する直流電源部と、直流電源部の直流電圧をスイッチング手段でスイッチングすることによって高周波の交流電圧に変換するインバータ回路部と、インバータ回路部からの電力供給を受けて点灯する放電灯負荷と、を備えた放電灯点灯装置において、インバータ回路部は、直流電源部の出力端子間に接続された一対のスイッチング手段の直列回路と、一対のスイッチング手段にそれぞれ逆並列に接続された整流手段と、一対のスイッチング手段の接続点に一端が接続されたインダクタと、一方のスイッチング手段の両端間にインダクタを介して接続された第１のコンデンサの直列回路と、第１のコンデンサの両端にそれぞれ接続される第１及び第２のランプ接続端子と、インダクタ及び第１のコンデンサの接続点に第２のコンデンサを介して接続された第３及び第４のランプ接続端子とを備え、放電灯負荷として、第１及び第２のランプ接続端子の間に接続されるある種類の１灯の放電ランプ、又は、第１のランプ接続端子と第３のランプ接続端子の間および第２のランプ接続端子と第４のランプ接続端子の間にそれぞれ接続される別の種類の２灯の放電ランプの何れかが選択的に用いられ、接続された放電ランプの種類を判別する判別回路部と、判別回路部の判別結果をもとに接続された放電灯負荷に応じて供給する電力を制御する制御回路部とを設けたことを特徴とし、異なる種類の放電ランプで１台の点灯装置を共用することによって、放電ランプの種類毎に専用の点灯装置を用意する場合に比べて、開発、設計、製造などの各工程で総合的に点灯装置のコストダウンを図ることができる。
【０２０６】
請求項３の発明は、交流電源の電源電圧を直流電圧に変換する直流電源部と、直流電源部の直流電圧をスイッチング手段でスイッチングすることによって高周波の交流電圧に変換するインバータ回路部と、インバータ回路部からの電力供給を受けて点灯する放電灯負荷と、を備えた放電灯点灯装置において、インバータ回路部は、直流電源部の出力端子間に接続された第１及び第２のスイッチング手段の直列回路と、直流電源部の出力端子間に接続された第３及び第４のスイッチング手段の直列回路と、第１〜第４のスイッチング手段にそれぞれ逆並列に接続された整流手段と、第１又は第２のスイッチング手段の何れか一方の両端間に接続された共振用の第１のインダクタ及び第１のコンデンサの直列回路と、第３又は第４のスイッチング手段の何れか一方の両端間に接続された共振用の第２のインダクタ及び第２のコンデンサの直列回路と、第１のインダクタ及び第１のコンデンサの接続点に接続された第１のランプ接続端子と、第２のインダクタ及び第２のコンデンサの接続点に接続された第２のランプ接続端子と、直流電源部の何れかの出力端子に接続された第３のランプ接続端子と、直流電源部の何れかの出力端子に接続された第４のランプ接続端子とを備え、放電灯負荷として、第１及び第２のランプ接続端子の間に接続されるある種類の１灯の放電ランプ、又は、第１のランプ接続端子と第３のランプ接続端子の間および第２のランプ接続端子と第４のランプ接続端子の間にそれぞれ接続される別の種類の２灯の放電ランプの何れかが選択的に用いられ、接続された放電ランプの種類を判別する判別回路部と、判別回路部の判別結果をもとに接続された放電灯負荷に応じて供給する電力を制御する制御回路部とを設けたことを特徴とし、異なる放電ランプの組合せで１台の点灯装置を共用することによって、放電ランプの複数の組合せ毎に専用の点灯装置を用意する場合に比べて、開発、設計、製造などの各工程で総合的に点灯装置のコストダウンを図ることができる。
【０２０７】
請求項４の発明は、請求項１乃至３の何れか１つに記載の発明において、判別回路部は、インバータ回路部を所定の動作周波数で動作させた状態で、判別動作を行うことを特徴とし、請求項１乃至３の発明の効果に加え、同じ条件で判別動作を行っているので、放電ランプを確実に判別できるという効果がある。
【０２０８】
請求項５の発明は、請求項２又は３の発明において、放電ランプは熱陰極型の蛍光ランプであって、判別回路部は、所定のランプ電流値で放電ランプを点灯させた状態でのランプ電力、所定のランプ電流値で放電ランプを点灯させた状態でのランプ照度、点灯状態におけるランプ電流、点灯状態におけるランプ電圧、点灯状態におけるランプインピーダンス、フィラメント抵抗の内の少なくとも何れか一つを用いて放電ランプの種類を判別することを特徴とし、請求項２又は３の発明と同様の効果を奏する。
【０２０９】
請求項６の発明は、請求項１乃至３の何れか１つに記載の発明において、判別回路部は、インバータ回路部を無負荷共振周波数付近の周波数で動作させた状態で、判別動作を行うことを特徴とし、請求項１乃至３の発明と同様の効果を奏する。
【０２１０】
請求項７の発明は、請求項２又は３の発明において、判別回路部は、放電ランプが放電を開始する時の始動電圧を用いて放電ランプの種類を判別することを特徴とし、請求項２又は３の発明の効果に加えて、点灯前に放電ランプを判別する期間を設ける必要がないので、速やかに放電ランプを点灯させることができるという効果がある。
【０２１１】
請求項８の発明は、請求項２又は３の発明において、直流電源部の出力電圧を上昇させることによって、放電ランプに印加する電圧を昇圧させて、放電ランプを始動させる場合、判別回路部は、放電ランプが放電を開始した時の直流電源部の出力電圧を用いて放電ランプの種類を判別することを特徴とし、請求項２又は３の発明の効果に加えて、点灯前に放電ランプを判別する期間を設ける必要がないので、速やかに放電ランプを点灯させることができ、且つ高電圧となる始動電圧を直接検出することなく放電ランプの判別が行えるという効果がある。
【０２１２】
請求項９の発明は、請求項２又は３の発明において、スイッチング手段のオンデューティを変化させることによって、放電ランプに印加する電圧を昇圧させて、放電ランプを始動させる場合、判別回路部は、放電ランプが放電を開始した時のスイッチング手段のオンデューティを用いて放電ランプの種類を判別することを特徴とし、請求項２又は３の発明の効果に加えて、点灯前に放電ランプを判別する期間を設ける必要がないので、速やかに放電ランプを点灯させることができ、且つ高電圧となる始動電圧を直接検出することなく放電ランプの判別が行えるという効果がある。
【０２１３】
請求項１０の発明は、請求項２又は３の発明において、放電灯は熱陰極型の蛍光ランプであって、判別回路部は、蛍光ランプのフィラメントによる電力損失量、又は、先行予熱時の入力電流の少なくとも何れか一方を用いて、放電ランプの種類を判別することを特徴とし、フィラメントによる電力損失量又は先行予熱時の入力電流の何れかを検出することによって、フィラメントの数を推測することができ、フィラメントの数から蛍光ランプの灯数を判別することによって、蛍光ランプの種類を判別することができる。
【０２１４】
請求項１１の発明は、請求項２又は３の発明において、判別回路部は、接続された放電ランプの始動回数を検出することによって、放電ランプの灯数及び種類を判別することを特徴とし、請求項２又は３の発明と同様の効果を奏する。
【０２１５】
請求項１２の発明は、請求項２記載の発明において、放電灯は熱陰極型の蛍光ランプであって、判別回路部は、インバータ回路部の出力端子に直接接続されるフィラメントの有無を検出することによって、蛍光ランプが接続されているか否かを判別するとともに、直列接続された複数灯の蛍光ランプのフィラメントの内、隣接する蛍光ランプに接続されるフィラメントの有無を検出することによって、蛍光ランプの灯数を判別すること特徴とし、請求項２の発明と同様の効果を奏する。
【０２１６】
請求項１３の発明は、請求項１乃至３の何れか１つに記載の発明において、ランプ判別部は、接続可能な放電ランプの定格ランプ電流の最小値で放電ランプを点灯させた状態で、放電ランプの種類を判別することを特徴とし、請求項１乃至３の発明の効果に加えて、放電ランプの種類が異なったとしても、放電ランプに過電流が流れることはなく、エミッタの過剰な飛散を防止して放電ランプの長寿命かを図れるという効果がある。
【０２１７】
請求項１４の発明は、請求項１乃至３の何れか１つに記載の発明において、ランプ判別部は、接続可能な放電ランプの定格ランプ電流の最小値よりも小さいランプ電流で放電ランプを点灯させた状態で、放電ランプの種類を判別し、判別された放電ランプの種類によって決まるランプ電圧の最大値と調光下限との間で放電ランプを調光する調光手段を設けたことを特徴とし、請求項１乃至３の発明の効果に加えて、調光始動時にランプ判別を行えるという効果がある。
【０２１８】
請求項１５の発明は、請求項１乃至３の何れか１つに記載の発明において、放電ランプが１灯接続された場合と、放電ランプが複数灯接続された場合とでランプインピーダンスの差を補正するインピーダンス素子を付加したことを特徴とし、請求項１乃至３の発明の効果に加え、インピーダンス素子でランプインピーダンスの違いを補正することによって、異なる種類の放電ランプを安定に点灯させることができるという効果がある。
【０２１９】
請求項１６の発明は、請求項１乃至３の何れか１つに記載の発明において、制御回路部は、放電ランプの種類によるランプ特性の違いを補正するように、インバータ回路部のスイッチング手段のオンデューティを制御することを特徴とし、請求項１乃至３の発明の効果に加え、放電ランプの種類の応じた出力で放電ランプを安定に点灯させることができるという効果を奏する。
【０２２０】
請求項１７の発明は、請求項１乃至３の何れか１に記載の発明において、２種類の放電ランプとは、高周波点灯専用形の管径が約２０ｍｍの二重環形蛍光ランプと、高周波点灯専用形の管径が約１６ｍｍの環形蛍光ランプであることを特徴とし、請求項１乃至３の何れかの発明と同様の効果を奏する。
【図面の簡単な説明】
【図１】  参考例１の放電灯点灯装置の回路ブロック図である。
【図２】  ＦＨＤランプおよびＦＨＣランプのランプ電流とランプ電圧との関係を示す図である。
【図３】  同上の別の放電灯点灯装置の回路ブロック図である。
【図４】  ＦＨＤ４０およびＦＨＣ２７のランプ電流とランプ電圧との関係を示す図である。
【図５】  基本構成１の放電灯点灯装置の回路ブロック図である。
【図６】  ＦＨＤランプおよびＦＨＣランプのランプ電流とランプ電圧との関係を示す図である。
【図７】  基本構成２の放電灯点灯装置の回路ブロック図である。
【図８】  基本構成３の放電灯点灯装置の回路ブロック図である。
【図９】  ＦＨＤ１００からなる負荷回路と、ＦＨＣ４０及びＦＨＣ３４の直列回路からなる負荷回路のランプ電流とランプ電圧との関係を示す図である。
【図１０】  基本構成４の放電灯点灯装置の回路ブロック図である。
【図１１】  基本構成５の放電灯点灯装置に用いるＦＨＤランプおよびＦＨＣランプのランプ電流とランプ電圧との関係を示す図である。
【図１２】  基本構成６の放電灯点灯装置に用いる高周波電力変換回路の出力の周波数特性の説明図である。
【図１３】  同上の放電灯点灯装置灯に用いる蛍光ランプのランプＩ−Ｖ特性と、高周波電力変換回路の出力特性を示す図である。
【図１４】  基本構成７の放電灯点灯装置の回路ブロック図である。
【図１５】  基本構成８の放電灯点灯装置の回路ブロック図である。
【図１６】  （ａ）はＦＨＣ４１とＦＨＣ３４との直列回路を用いた場合の始動電圧の波形図、（ｂ）はＦＨＤ１００を用いた場合の始動電圧の波形図である。
【図１７】  基本構成９を示し、（ａ）は１灯のＦＨＤランプからなる負荷回路を用いた場合の要部の回路ブロック図、（ｂ）は始動・点灯時におけるランプ電圧の波形図である。
【図１８】  同上を示し、（ａ）は直列接続された２灯のＦＨＣランプからなる負荷回路を用いた場合の要部の回路ブロック図、（ｂ）は始動・点灯時におけるランプ電圧の波形図である。
【図１９】  基本構成１０の放電灯点灯装置の回路図である。
【図２０】  同上を示し、（ａ）は平滑コンデンサの電圧波形図、（ｂ）はランプ電圧の波形図である。
【図２１】  基本構成１１の放電灯点灯装置の動作を示し、（ａ）はスイッチング素子のオンデューティの変化を示す図、（ｂ）はランプ電圧の波形図である。
【図２２】  基本構成１２の放電灯点灯装置の回路ブロック図である。
【図２３】  基本構成１４の放電灯点灯装置の回路ブロック図である。
【図２４】  基本構成１５の放電灯点灯装置を示し、ＦＨＤランプを１灯接続した場合の回路ブロック図である。
【図２５】  同上を示し、ＦＨＣランプを２灯直列接続した場合の回路ブロック図である。
【図２６】  実施形態１の放電灯点灯装置の一部省略せる回路ブロック図である。
【図２７】  同上の検出回路を示す具体回路図である。
【図２８】  実施形態２の放電灯点灯装置を示し、（ａ）はＦＨＤランプを１灯接続した場合の回路ブロック図、（ｂ）はＦＨＣランプを２灯直列接続した場合の回路ブロック図である。
【図２９】  実施形態３の放電灯点灯装置を示し、（ａ）はＦＨＤランプを１灯接続した場合の回路ブロック図、（ｂ）はＦＨＣランプを２灯直列接続した場合の回路ブロック図である。
【図３０】  基本構成１６の放電灯点灯装置の動作を示し、（ａ）はランプ電圧の波形図、（ｂ）はランプ電流の波形図である。
【図３１】  基本構成１８の放電灯点灯装置の動作を示し、（ａ）はランプ電圧の波形図、（ｂ）はランプ電流の波形図である。
【図３２】  基本構成１９の放電灯点灯装置の動作を示し、（ａ）はＦＨＤランプを１灯接続した場合の一部省略せる回路ブロック図、（ｂ）はＦＨＣランプを２灯直列接続した場合の一部省略せる回路ブロック図である。
【図３３】  基本構成２０の放電灯点灯装置の一部省略せる回路ブロック図である。
【図３４】  （ａ）（ｂ）は基本構成２１の放電灯点灯装置の負荷回路を示す要部回路図である。
【図３５】  基本構成２２の放電灯点灯装置の要部を示す回路ブロック図である。
【図３６】  同上の別の放電灯点灯装置の要部を示す回路ブロック図である。
【図３７】  基本構成２３の放電灯点灯装置の一部省略せる回路図である。
【図３８】  基本構成２４の照明器具を示し、（ａ）はセードを外した状態の下面図、（ｂ）は側断面図である。
【図３９】  同上の別の照明器具のセードを外した状態の下面図である。
【図４０】  同上のまた別の照明器具を示し、（ａ）はセードを外した状態の下面図、（ｂ）は側断面図である。
【図４１】  同上のさらにまた別の照明器具を示し、（ａ）はセードを外した状態の下面図、（ｂ）は側断面図である。
【図４２】  基本構成２６の放電灯点灯装置の回路ブロック図である。
【図４３】  ＦＨＤランプおよびＦＨＣランプのランプ電流とランプ電圧との関係を示す図である。
【図４４】  基本構成２７の放電灯点灯装置の回路ブロック図である。
【図４５】  従来の放電灯点灯装置の回路ブロック図である。
【図４６】  （ａ）〜（ｄ）はＦＨＣランプの外観図である。
【図４７】  従来の別の放電灯点灯装置の回路ブロック図である。
【図４８】  （ａ）〜（ｄ）はＦＨＤランプの外観図である。
【符号の説明】
１  交流電源
２  整流回路
３  入力歪改善回路
４  高周波電力変換回路
５  ランプ電流検出回路
６  ランプ判別回路
７  制御回路
ＦＬ１  蛍光ランプ
【図１】
0004120211.tif 000006
【図２】
0004120211.tif 000007
【図３】
0004120211.tif 000008
【図４】
0004120211.tif 000009
【図５】
0004120211.tif 000010
【図６】
0004120211.tif 000011
【図７】
0004120211.tif 000012
【図８】
0004120211.tif 000013
【図９】
0004120211.tif 000014
【図１０】
0004120211.tif 000015
【図１１】
0004120211.tif 000016
【図１２】
0004120211.tif 000017
【図１３】
0004120211.tif 000018
【図１４】
0004120211.tif 000019
【図１５】
0004120211.tif 000020
【図１６】
0004120211.tif 000021
【図１７】
0004120211.tif 000022
【図１８】
0004120211.tif 000023
【図１９】
0004120211.tif 000024
【図２０】
0004120211.tif 000025
【図２１】
0004120211.tif 000026
【図２２】
0004120211.tif 000027
【図２３】
0004120211.tif 000028
【図２４】
0004120211.tif 000029
【図２５】
0004120211.tif 000030
【図２６】
0004120211.tif 000031
【図２７】
0004120211.tif 000032
【図２８】
0004120211.tif 000033
【図２９】
0004120211.tif 000034
【図３０】
0004120211.tif 000035
【図３１】
0004120211.tif 000036
【図３２】
0004120211.tif 000037
【図３３】
0004120211.tif 000038
【図３４】
0004120211.tif 000039
【図３５】
0004120211.tif 000040
【図３６】
0004120211.tif 000041
【図３７】
0004120211.tif 000042
【図３８】
0004120211.tif 000043
【図３９】
0004120211.tif 000044
【図４０】
0004120211.tif 000045
【図４１】
0004120211.tif 000046
【図４２】
0004120211.tif 000047
【図４３】
0004120211.tif 000048
【図４４】
0004120211.tif 000049
【図４５】
0004120211.tif 000050
【図４６】
0004120211.tif 000051
【図４７】
0004120211.tif 000052
【図４８】
0004120211.tif 000053